(57)【特許請求の範囲】
【請求項１】
無線通信システムにおいてマシン通信（ＭＴＣ）端末が上りリンク信号を送信する方法であって、
第１サブフレームで第１サブバンドを介して第１上りリンク信号を送信する段階と、
前記ＭＴＣ端末の周波数を前記第１サブバンドから第２サブバンドに再同調する段階と、
第２サブフレームで前記第２サブバンドを介して第２上りリンク信号を送信する段階と、を有し、
前記周波数を再同調する段階において、前記第１サブフレームと前記第２サブフレームとが互いに連続する場合、前記ＭＴＣ端末は、前記第１サブフレームの最後のＮ個のシンボル及び前記第２サブフレームの最初のＮ個のシンボルの少なくとも一部のシンボルで前記第１上りリンク信号又は前記第２上りリンク信号を送信する代わりに前記周波数の再同調を行い、
前記第１サブフレームの最後のＮ個のシンボルから前記第２サブフレームの最初のＮ個のシンボルの範囲内で前記周波数の再同調に使われる前記少なくとも一部のシンボルの位置は、前記第１上りリンク信号と前記第２上りリンク信号との間で前もって設定された優先順位によって決定される、上りリンク信号送信方法。
【請求項２】
前記周波数を再同調する段階において、
前記第１上りリンク信号が前記第２上りリンク信号より優先される場合、前記周波数の再同調は前記第２サブフレームの最初のＮ個のシンボルで行われ、
前記第２上りリンク信号が前記第１上りリンク信号より優先される場合、前記周波数の再同調は前記第１サブフレームの最後のＮ個のシンボルで行われる、請求項１に記載の上りリンク信号送信方法。
【請求項３】
前記第１上りリンク信号と前記第２上りリンク信号とが同一の優先順位を有する場合、前記周波数の再同調が行われる少なくとも一部のシンボルは、前記第１サブフレームと前記第２サブフレームとに均等に分けられて設定される、請求項２に記載の上りリンク信号送信方法。
【請求項４】
前記第１上りリンク信号がサウンディング参照信号（ＳＲＳ）を有し、前記第２上りリンク信号が物理上りリンク制御チャネル（ＰＵＣＣＨ）又は物理上りリンク共有チャネル（ＰＵＳＣＨ）を有する場合、
前記周波数の再同調が行われる少なくとも一部のシンボルは、前記第１サブフレームの最後のシンボルを有し、前記ＳＲＳの伝送はドロップされる、請求項１に記載の上りリンク信号送信方法。
【請求項５】
前記第１上りリンク信号がＰＵＣＣＨであり、前記第２上りリンク信号がＰＵＳＣＨである場合、前記周波数の再同調が行われる少なくとも一部のシンボルは、前記第２サブフレームの最初のＮ個のシンボル上に設定され、
前記第１上りリンク信号が前記ＰＵＳＣＨであり、前記第２上りリンク信号が前記ＰＵＣＣＨである場合、前記周波数の再同調が行われる少なくとも一部のシンボルは、前記第１サブフレームの最後のＮ個のシンボル上に設定される、請求項１に記載の上りリンク信号送信方法。
【請求項６】
ＳＲＳがＰＵＣＣＨ又はＰＵＳＣＨと同一のサブフレーム上に設定され、前記ＳＲＳのサブバンドが前記ＰＵＣＣＨ又は前記ＰＵＳＣＨのサブバンドと異なる場合、前記ＳＲＳの伝送はドロップされる、請求項１に記載の上りリンク信号送信方法。
【請求項７】
前記前もって設定された優先順位によると、ＰＵＣＣＨはＰＵＳＣＨより優先され、前記ＰＵＳＣＨはＳＲＳより優先される、請求項１に記載の上りリンク信号送信方法。
【請求項８】
ＰＵＳＣＨが送信されるサブバンドに対する無線リソース制御（ＲＲＣ）設定を受信する段階をさらに有し、
前記ＰＵＳＣＨが送信されるサブバンドは、前記ＲＲＣ設定に基づいて周波数ホッピングされる、請求項１に記載の上りリンク信号送信方法。
【請求項９】
前記周波数を再同調する段階において、
前記第１上りリンク信号が物理ランダムアクセスチャネル（ＰＲＡＣＨ）を有する場合、前記周波数の再同調は前記第２サブフレームの最初のＮ個のシンボルで行われ、
前記第２上りリンク信号が前記ＰＲＡＣＨを有する場合、前記周波数の再同調は前記第１サブフレームの最後のＮ個のシンボルで行われる、請求項１に記載の上りリンク信号送信方法。
【請求項１０】
マシン通信（ＭＴＣ）端末であって、
第１サブフレームで第１サブバンドを介して第１上りリンク信号を送信し、第２サブフレームで第２サブバンドを介して第２上りリンク信号を送信する送信器と、
前記ＭＴＣ端末の周波数を前記第１サブバンドから前記第２サブバンドに再同調するプロセッサと、を有し、
前記プロセッサは、前記第１サブフレームと前記第２サブフレームとが互いに連続する場合、前記第１サブフレームの最後のＮ個のシンボル及び前記第２サブフレームの最初のＮ個のシンボルの少なくとも一部のシンボルで前記第１上りリンク信号又は前記第２上りリンク信号を送信する代わりに前記周波数の再同調を行い、
前記第１サブフレームの最後のＮ個のシンボルから前記第２サブフレームの最初のＮ個のシンボルの範囲内で前記周波数の再同調に使われる前記少なくとも一部のシンボルの位置は、前記第１上りリンク信号と前記第２上りリンク信号との間で前もって設定された優先順位によって決定される、ＭＴＣ端末。
【請求項１１】
前記第１上りリンク信号が前記第２上りリンク信号より優先される場合、前記周波数の再同調は前記第２サブフレームの最初のＮ個のシンボルで行われ、
前記第２上りリンク信号が前記第１上りリンク信号より優先される場合、前記周波数の再同調は前記第１サブフレームの最後のＮ個のシンボルで行われる、請求項１０に記載のＭＴＣ端末。
【請求項１２】
前記第１上りリンク信号がサウンディング参照信号（ＳＲＳ）を有し、前記第２上りリンク信号が物理上りリンク制御チャネル（ＰＵＣＣＨ）又は物理上りリンク共有チャネル（ＰＵＳＣＨ）を有する場合、
前記周波数の再同調が行われる少なくとも一部のシンボルは、前記第１サブフレームの最後のシンボルを有し、前記ＳＲＳの伝送はドロップされる、請求項１０に記載のＭＴＣ端末。
【請求項１３】
前記第１上りリンク信号がＰＵＣＣＨであり、前記第２上りリンク信号がＰＵＳＣＨである場合、前記周波数の再同調が行われる少なくとも一部のシンボルは、前記第２サブフレームの最初のＮ個のシンボル上に設定され、
前記第１上りリンク信号が前記ＰＵＳＣＨであり、前記第２上りリンク信号が前記ＰＵＣＣＨである場合、前記周波数の再同調が行われる少なくとも一部のシンボルは、前記第１サブフレームの最後のＮ個のシンボル上に設定される、請求項１０に記載のＭＴＣ端末。
【請求項１４】
ＳＲＳがＰＵＣＣＨ又はＰＵＳＣＨと同一のサブフレーム上に設定され、前記ＳＲＳのサブバンドが前記ＰＵＣＣＨ又は前記ＰＵＳＣＨのサブバンドと異なる場合、前記ＳＲＳの伝送はドロップされる、請求項１０に記載のＭＴＣ端末。
【請求項１５】
前記前もって設定された優先順位によると、ＰＵＣＣＨはＰＵＳＣＨより優先され、前記ＰＵＳＣＨはＳＲＳより優先される、請求項１０に記載のＭＴＣ端末。
【発明の詳細な説明】
【技術分野】
【０００１】
本発明は、無線通信システムに関し、より詳しくは、マシン通信（Machine Type Communication；ＭＴＣ）をサポートする無線通信システムにおいて上りリンクＭＴＣ信号を送信又は受信するための方法及びこのため装置に関する。
【背景技術】
【０００２】
本発明を適用できる無線通信システムの一例として、３ＧＰＰ ＬＴＥ（3rd Generation Partnership Project Long Term Evolution；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Evolved Universal Mobile Telecommunications System）は、レガシ（既存の）（legacy）ＵＭＴＳ（Universal Mobile Telecommunications System）から進展したシステムであり、現在３ＧＰＰで基礎的な標準化作業が進行中である。一般に、Ｅ−ＵＭＴＳをＬＴＥ（Long Term Evolution）システムと呼ぶこともできる。ＵＭＴＳ及びＥ−ＵＭＴＳの技術規格（technical specification）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ ７及びＲｅｌｅａｓｅ ８を参照することができる。
【０００４】
図１を参照すると、Ｅ−ＵＭＴＳは、端末（User Equipment；ＵＥ）、基地局（eNodeB；ｅＮＢ）、及びネットワーク（Ｅ−ＵＴＲＡＮ）の終端に位置して外部ネットワークに接続するアクセスゲートウェイ（Access Gateway；ＡＧ）を含んでいる。基地局は、ブロードキャストサービス、マルチキャストサービス及び／又はユニキャストサービスのために多重データストリームを同時に送信することができる。
【０００５】
一つの基地局には一つ又は複数のセルが存在する。セルは、１．４４、３、５、１０、１５、２０ＭＨｚなどの帯域幅のいずれか一つに設定され、複数の端末に下り又は上り送信サービスを提供する。異なったセルは、互いに異なった帯域幅を提供するように設定できる。基地局は、複数の端末に関するデータ送受信を制御する。下りリンク（DownLink；ＤＬ）データについて、基地局は、下りリンクスケジューリング情報を送信し、該当の端末にデータが送信される時間／周波数領域、符号化、データサイズ、ＨＡＲＱ（Hybrid Automatic Repeat and reQuest）関連情報などを知らせる。また、上りリンク（UpLink；ＵＬ）データについて、基地局は、上りリンクスケジューリング情報を該当の端末に送信し、該当の端末が使用可能な時間／周波数領域、符号化、データサイズ、ＨＡＲＱ関連情報などを知らせる。基地局間では、ユーザトラフィック又は制御トラフィックの送信のためのインターフェースを用いることができる。コアネットワーク（Core Network；ＣＮ）は、ＡＧ、及び端末のユーザ登録などのためのネットワークノードなどで構成可能である。ＡＧは、複数のセルで構成されるＴＡ（Tracking Area）単位で端末の移動性を管理する。
【０００６】
無線通信技術は、ＷＣＤＭＡ（登録商標）に基づいてＬＴＥにまで開発されてきたが、ユーザ及び事業者の要求及び期待は増す一方である。その上、他の無線接続技術の開発が続いており、将来、競争力を持つためには新しい技術の進展（進化）（advances）が要求される。ビット当たりのコストの削減、サービス可用性の増大、柔軟な周波数バンドの使用、単純構造及びオープン（開放型）（open）インターフェース、端末の適切（適度）な（appropriate）電力消費（消耗）（consumption）などが要求される。
【発明の概要】
【発明が解決しようとする課題】
【０００７】
本発明が達成しようとする技術的課題は、ＭＴＣ端末が周波数の再同調（frequency retuning）を行う（遂行する）（performing）ことにより、相異なるサブバンドを介して上りリンク信号を送信する方法及びこれを行う装置を提供することにある。
【０００８】
本発明の他の技術的課題は詳細な説明から導出されることができる。
【課題を解決するための手段】
【０００９】
前述した技術的課題を達成するための本発明の一態様による無線通信システムにおいてマシン通信（Machine Type Communication；ＭＴＣ）端末が上りリンク信号を送信する方法は、第１サブフレームで第１サブバンドを介して第１上りリンク信号を送信する段階と、ＭＴＣ端末の周波数を第１サブバンドから第２サブバンドに再同調（re-tuning）する段階と、第２サブフレームで第２サブバンドを介して第２上りリンク信号を送信する段階と、を有し、周波数を再同調する段階において、第１サブフレームと第２サブフレームとが互いに連続する場合、ＭＴＣ端末は、第１サブフレームの最後のＮ個のシンボル及び第２サブフレームの最初のＮ個のシンボルの少なくとも一部のシンボルで第１上りリンク信号又は第２上りリンク信号を送信する代わりに周波数の再同調を行い、第１サブフレームの最後のＮ個のシンボルから第２サブフレームの最初のＮ個のシンボルの範囲内で周波数の再同調に使われる少なくとも一部のシンボルの位置は、第１上りリンク信号と第２上りリンク信号との間で前もって設定された優先順位によって決定されることができる。
【００１０】
前述した技術的課題を達成するための本発明の一態様によるＭＴＣ（Machine Type Communication）端末は、第１サブフレームで第１サブバンドを介して第１上りリンク信号を送信し、第２サブフレームで第２サブバンドを介して第２上りリンク信号を送信する送信器と、ＭＴＣ端末の周波数を第１サブバンドから第２サブバンドに再同調（re-tuning）するプロセッサと、を有し、プロセッサは、第１サブフレームと第２サブフレームとが互いに連続する場合、第１サブフレームの最後のＮ個のシンボル及び第２サブフレームの最初のＮ個のシンボルの少なくとも一部のシンボルで第１上りリンク信号又は第２上りリンク信号を送信する代わりに周波数の再同調を行い、第１サブフレームの最後のＮ個のシンボルから第２サブフレームの最初のＮ個のシンボルの範囲内で周波数の再同調に使われる少なくとも一部のシンボルの位置は、第１上りリンク信号と第２上りリンク信号との間で前もって設定された優先順位によって決定されることができる。
【００１１】
好ましくは、第１上りリンク信号が第２上りリンク信号より優先される場合、周波数の再同調は第２サブフレームの最初のＮ個のシンボルで行われ、第２上りリンク信号が第１上りリンク信号より優先される場合、周波数の再同調は第１サブフレームの最後のＮ個のシンボルで行われることができる。
【００１２】
より好ましくは、第１上りリンク信号と第２上りリンク信号とが同一の優先順位を有する場合、周波数の再同調が行われる少なくとも一部のシンボルは第１サブフレームと第２サブフレームとに均等に分けられて設定されることができる。
【００１３】
好ましくは、第１上りリンク信号がサウンディング参照信号（Sounding Reference Signal；ＳＲＳ）を有し、第２上りリンク信号が物理上りリンク制御チャネル（Physical Uplink Control CHannel；ＰＵＣＣＨ）又は物理上りリンク共有チャネル（Physical Uplink Shared CHannel；ＰＵＳＣＨ）を有する場合、周波数の再同調が行われる少なくとも一部のシンボルは第１サブフレームの最後のシンボルを有し、ＳＲＳの伝送（送信）（transmission）はドロップ（drop）されることができる。
【００１４】
好ましくは、第１上りリンク信号がＰＵＣＣＨ（Physical Uplink Control CHannel）であり、第２上りリンク信号がＰＵＳＣＨ（Physical Uplink Shared CHannel）である場合、周波数の再同調が行われる少なくとも一部のシンボルは第２サブフレームの最初のＮ個のシンボル上に設定され、第１上りリンク信号がＰＵＳＣＨであり、第２上りリンク信号がＰＵＣＣＨである場合、周波数の再同調が行われる少なくとも一部のシンボルは第１サブフレームの最後のＮ個のシンボル上に設定されることができる。
【００１５】
好ましくは、ＳＲＳ（Sounding Reference Signal）がＰＵＣＣＨ（Physical Uplink Control CHannel）又はＰＵＳＣＨ（Physical Uplink Shared CHannel）と同一のサブフレーム上に設定され、ＳＲＳのサブバンドがＰＵＣＣＨ又はＰＵＳＣＨのサブバンドと異なる場合、ＳＲＳの伝送はドロップされることができる。
【００１６】
好ましくは、前もって設定された優先順位によると、ＰＵＣＣＨ（Physical Uplink Control CHannel）はＰＵＳＣＨ（Physical Uplink Shared CHannel）より優先され、ＰＵＳＣＨはＳＲＳ（Sounding Reference Signal）より優先されることができる。
【００１７】
好ましくは、ＭＴＣ端末はＰＵＳＣＨ（Physical Uplink Shared CHannel）が送信されるサブバンドに対する無線リソース制御（Radio Resource Control；ＲＲＣ）設定（configuration）を受信し、ＰＵＳＣＨが送信されるサブバンドは、ＲＲＣ設定に基づいて周波数ホッピングされることができる。
【００１８】
好ましくは、第１上りリンク信号が物理ランダムアクセスチャネル（Physical Random Access CHannel；ＰＲＡＣＨ）を有する場合、周波数の再同調は第２サブフレームの最初のＮ個のシンボルで行われ、第２上りリンク信号がＰＲＡＣＨを有する場合、周波数の再同調は第１サブフレームの最後のＮ個のシンボルで行われることができる。
【発明の効果】
【００１９】
本発明の一実施例によると、ＭＴＣ端末が相異なるサブバンドを介して上りリンク信号を送信するために周波数再同調を行う際に、優先順位によって周波数再同調に必要なシンボルを決定することにより、より効率的かつ正確に上りリンク信号を送信することができる。
【００２０】
本発明で得られる効果は以上で言及した効果に制限されず、言及しなかった他の効果は、下記の記載から本発明が属する技術分野で通常の知識を有する者に明らかに理解可能であろう。
【図面の簡単な説明】
【００２１】
【図１】無線通信システムの一例としてＥ−ＵＭＴＳネットワーク構造を概略的に示す図である。
【図２】３ＧＰＰ無線接続ネットワーク規格に基づく端末とＥ−ＵＴＲＡＮとの間の無線インターフェースプロトコル（Radio Interface Protocol）の制御プレーン（Control Plane）及びユーザプレーン（User Plane）構造を示す図である。
【図３】３ＧＰＰシステムに用いられる物理チャネル及びこれらのチャネルを用いた一般的な信号送信方法を説明するための図である。
【図４】ＬＴＥシステムで用いられる下りリンク無線フレームの構造を例示する図である。
【図５】ＬＴＥシステムで用いられる上りリンクサブフレームの構造を示す図である。
【図６】ＬＴＥ ＴＤＤシステムで無線フレームの構造を例示する図である。
【図７】キャリアアグリゲーション（搬送波集成）（carrier aggregation）技法を説明するための概念図である。
【図８】一実施例によるＲＢ割当てを例示する図である。
【図９】ＲＢ割当ての他の一実施例を示す図である。
【図１０】ＤＶＲＢの割当てを例示する図である。
【図１１】本発明の一実施例によるＭＴＣ端末の上りリンクチャネルを例示する図である。
【図１２】本発明の一実施例によるＭＴＣ端末のＵＬ信号送信方法を例示する図である。
【図１３】本発明の一実施例による端末と基地局を示す図である。
【発明を実施するための形態】
【００２２】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００２３】
本明細書では、ＬＴＥシステム及びＬＴＥ-Ａシステムを用いて本発明の実施例を説明するが、これは例示に過ぎず、本発明の実施例は、上述した定義に該当するいかなる通信システムにも適用可能である。また、本明細書で、基地局の名称は、ＲＲＨ（Remote Radio Head）、送信ポイント（Transmission Point；ＴＰ）、受信ポイント（Reception Point；ＲＰ）、ｅＮＢ、中継機（relay）などを含む包括的な用語として使われる。
【００２４】
図２は、３ＧＰＰ無線アクセスネットワーク（接続網）規格（3GPP radio access network specifications）に基づく端末とＥ-ＵＴＲＡＮとの間の無線インターフェースプロトコル（Radio Interface Protocol）の制御プレーン及びユーザプレーンの構造を示す図である。制御プレーンとは、端末（ＵＥ）とネットワークとが呼を管理するために用いる制御メッセージが送信されるパス（通路、通信路）（path）を意味する。ユーザプレーンとは、アプリケーション層で生成されたデータ、例えば、音声データ又はインターネットパケットデータなどが送信されるパスを意味する。
【００２５】
第１層である物理層は、物理チャネル（Physical Channel）を用いて上位層に情報送信サービス（Information Transfer Service）を提供する。物理層は、上位のメディア（媒体）アクセス（接続）制御（Medium Access Control）層とトランスポート（伝送）チャネル（Transport Channel）を介して接続されている。該トランスポートチャネルを介してメディアアクセス制御層と物理層との間でデータが移動する。送信側の物理層と受信側の物理層との間では、物理チャネルを介してデータが移動する。該物理チャネルは、時間及び周波数を無線リソースとして活用する。具体的には、物理チャネルは、下りリンクにおいてＯＦＤＭＡ（Orthogonal Frequency Division Multiple Access）方式で変調され、上りリンクにおいてＳＣ-ＦＤＭＡ（Single Carrier Frequency Division Multiple Access）方式で変調される。
【００２６】
第２層の媒体アクセス（接続）制御（Medium Access Control；ＭＡＣ）層は、論理チャネル（Logical Channel）を介して、上位層である無線リンク制御（Radio Link Control；ＲＬＣ）層にサービスを提供する。第２層のＲＬＣ層は、信頼できるデータ送信をサポート（支援）する（support）。ＲＬＣ層の機能は、ＭＡＣ内部の機能ブロックとして具現してもよい。第２層のＰＤＣＰ（Packet Data Convergence Protocol）層は、帯域幅の狭い無線インターフェースでＩＰｖ４やＩＰｖ６などのＩＰパケットを効率的に送信するために、余分な制御情報を減らすヘッダ圧縮（Header Compression）機能を持つ。
【００２７】
第３層の最下部に位置する無線リソース制御（Radio Resource Control；ＲＲＣ）層は、制御プレーンにのみ定義される。ＲＲＣ層は、無線ベアラ（Radio Bearer）の設定（Configuration）、再設定（Re-configuration）及び解放（解除）（Release）に関して、論理チャネル、トランスポートチャネル及び物理チャネルの制御を担当する。無線ベアラ（ＲＢ）とは、端末とネットワークとの間のデータ伝達のために第２層によって提供されるサービスを意味する。そのために、端末のＲＲＣ層とネットワークのＲＲＣ層とはＲＲＣメッセージを互いに交換する。端末のＲＲＣ層とネットワークのＲＲＣ層との間にＲＲＣ接続（RRC Connected）がある場合、端末は、ＲＲＣ接続状態（Connected Mode）にあり、そうでない場合は、ＲＲＣ休止状態（Idle Mode）にある。ＲＲＣ層の上位にあるＮＡＳ（Non-Access Stratum）層は、セッション管理（Session Management）及び移動性管理（Mobility Management）などの機能を持つ。
【００２８】
基地局（ｅＮＢ）を構成する一つのセルは、１．４、３、５、１０、１５、２０ＭＨｚなどの帯域幅のうちの一つに設定され、複数の端末に下り又は上り送信サービスを提供する。異なったセルは互いに異なった帯域幅を提供するように設定できる。
【００２９】
ネットワークから端末にデータを送信する下りトランスポートチャネルとしては、システム情報を送信するＢＣＨ（Broadcast CHannel）、ページングメッセージを送信するＰＣＨ（Paging CHannel）、ユーザトラフィックや制御メッセージを送信する下りＳＣＨ（Shared CHannel）などがある。下りマルチキャスト又はブロードキャスト（放送）（broadcast）サービスのトラフィック又は制御メッセージは、下りＳＣＨを介して送信されてもよく、別の下りＭＣＨ（Multicast CHannel）を通じて送信されてもよい。一方、端末からネットワークにデータを送信する上りトランスポートチャネルとしては、初期制御メッセージを送信するＲＡＣＨ（Random Access CHannel）、ユーザトラフィックや制御メッセージを送信する上りＳＣＨ（Shared CHannel）がある。トランスポートチャネルの上位に存在し、トランスポートチャネルにマッピングされる論理チャネル（Logical Channel）としては、ＢＣＣＨ（Broadcast Control CHannel）、ＰＣＣＨ（Paging Control CHannel）、ＣＣＣＨ（Common Control CHannel）、ＭＣＣＨ（Multicast Control CHannel）、ＭＴＣＨ（Multicast Traffic CHannel）などがある。
【００３０】
図３は、３ＧＰＰシステムに用いられる物理チャネル及びこれらのチャネルを用いた一般的な信号送信方法を説明するための図である。
【００３１】
端末は、電源が入ったり、新しくセルに進入したりした場合に、基地局と同期を取る等の初期セル探索（Initial cell search）手順（作業、手続）（procedure）を行う（Ｓ３０１）。そのために、端末は、基地局からプライマリ同期チャネル（Primary Synchronization CHannel；Ｐ-ＳＣＨ）及びセカンダリ同期チャネル（Secondary Synchronization CHannel；Ｓ-ＳＣＨ）を受信して基地局と同期を取り、セルＩＤなどの情報を取得できる。その後、端末は、基地局から物理ブロードキャストチャネル（Physical Broadcast Channel）を受信し、セル内ブロードキャスト情報を取得できる。一方、端末は、初期セル探索段階で、下りリンク参照信号（DownLink Reference Signal；ＤＬ ＲＳ）を受信し、下りリンクチャネル状態を確認できる。
【００３２】
初期セル探索を終えた端末は、物理下りリンク制御チャネル（Physical Downlink Control CHannel；ＰＤＣＣＨ）、及び該ＰＤＣＣＨに載せられた情報に基づいて物理下りリンク共有チャネル（Physical Downlink Control CHannel；ＰＤＳＣＨ）を受信することによって、より具体的なシステム情報を取得できる（Ｓ３０２）。
【００３３】
一方、基地局に最初に接続する場合又は信号送信のための無線リソースがない場合には、端末は、基地局にランダムアクセス手順（Random Access Procedure；ＲＡＣＨ）を行うことができる（Ｓ３０３乃至Ｓ３０６）。そのために、端末は、物理ランダムアクセスチャネル（Physical Random Access CHannel；ＰＲＡＣＨ）を介して特定シーケンスをプリアンブルとして送信し（Ｓ３０３及びＳ３０５）、ＰＤＣＣＨ及び対応するＰＤＳＣＨを介して、プリアンブルに対する応答メッセージを受信することができる（Ｓ３０４及びＳ３０６）。競合（コンテンション）ベースのＲＡＣＨについては、衝突解決手順（Contention Resolution Procedure）をさらに行うことができる。
【００３４】
上述の手順を行った端末は、その後、一般的な上りリンク／下りリンク信号送信手順として、ＰＤＣＣＨ／ＰＤＳＣＨ受信（Ｓ３０７）、及び物理上りリンク共有チャネル（Physical Uplink Shared CHannel；ＰＵＳＣＨ）／物理上りリンク制御チャネル（Physical Uplink Control CHannel；ＰＵＣＣＨ）送信（Ｓ３０８）を行うことができる。特に、端末は、ＰＤＣＣＨを介して下りリンク制御情報（Downlink Control Information；ＤＣＩ）を受信する。ここで、ＤＣＩは、端末に対するリソース割当て情報などの制御情報を含み、その使用目的によってフォーマットが異なる。
【００３５】
一方、端末が上りリンクで基地局に送信するか又は端末が基地局から受信する制御情報としては、下りリンク／上りリンクＡＣＫ／ＮＡＣＫ信号、ＣＱＩ（Channel Quality Indicator）、ＰＭＩ（Precoding Matrix Index）、ＲＩ（Rank Indicator）などを含む。３ＧＰＰ  ＬＴＥシステムにおいて、端末は、これらのＣＱＩ／ＰＭＩ／ＲＩなどの制御情報をＰＵＳＣＨ及び／又はＰＵＣＣＨを介して送信することができる。
【００３６】
セルラＯＦＤＭ無線パケット通信システムにおいて、上り／下りリンクデータパケット伝送はサブフレーム単位で行われ、一つのサブフレームは複数（多数）の（a plurality of）ＯＦＤＭシンボルを含む一定時間区間として定義される。
【００３７】
本発明では、記述上の便宜のために、次のような用語を定義する。（ｉ）リソース要素（Resource Element；ＲＥ）：データ又はその外の制御チャネルの変調シンボルがマッピングされる最小周波数−時間単位。一つのＯＦＤＭシンボルにＭ個の副搬送波を介して信号が送信され、一つのサブフレームにＮ個のＯＦＤＭシンボルが送信されれば、一つのサブフレームにはＭｘＮ個のＲＥが存在する。（ii）物理リソースブロック（Physical Resource Block；ＰＲＢ）：データを送信する単位周波数−時間リソース。一般に、一つのＰＲＢは周波数−時間領域で連続するＲＥからなり、一つのサブフレーム内には複数のＰＲＢが定義される。（iii ）仮想リソースブロック（Virtual Resource Block；ＶＲＢ）：データ伝送のための仮想的な単位リソース。一般に、一つのＶＲＢが含むＲＥの数は一つのＰＲＢが含むＲＥの数と同一であり、実際のデータ伝送において、一つのＶＲＢは一つのＰＲＢにマッピングされるか、あるいは一つのＶＲＢが複数のＰＲＢの一部の領域にマッピングされることができる。（iv）ローカライズド仮想リソースブロック（Localized Virtual Resource Block；ＬＶＲＢ）：ＶＲＢの一種。一つのＬＶＲＢは一つのＰＲＢにマッピングされ、他のＬＶＲＢがマッピングされるＰＲＢは重複しない。ＬＶＲＢは直ちにＰＲＢに解釈されることもできる。（ｖ）分散仮想リソースブロック（Distributed Virtual Resource Block；ＤＶＲＢ）：ＶＲＢの一種。一つのＤＶＲＢは複数のＰＲＢ内の一部のＲＥにマッピングされ、他のＤＶＲＢにマッピングされるＲＥは重複しない。（vi）ＮPRB：システムのＰＲＢの数、（vii ）ＮLVRB：システムで使用可能なＬＶＲＢの数、（viii）ＮDVRB：システムで使用可能なＤＶＲＢの数、（ix）ＮLVRB_UE：一つのＵＥが割り当てられる最大ＬＶＲＢの数、（ｘ）ＮDVRB_UE：一つのＵＥが割り当てられる最大ＤＶＲＢの数（ｘｉ）Ｎsubset：Ｓｕｂｓｅｔの数。
【００３８】
３ＧＰＰ ＬＴＥにおいて、１個のＲＢは１２個のｓｕｂｃａｒｒｉｅｒと一つのスロットを構成するＯＦＤＭシンボルの数からなる。すなわち、Ｎｏｒｍａｌ ＣＰ（Cyclic Prefix）を使う場合、１個のスロットには７個のＯＦＤＭシンボルがあるので、１２ｘ７個のＲＥが一つのＲＢを成す（構成する）。このようなＲＢは、一つのサブフレームの第１スロットのＲＢと第２スロットのＲＢとが対を成して（RB-pair）端末に割り当てられる。
【００３９】
図４は、下りリンク無線フレームにおいて一つのサブフレームの制御領域に含まれる制御チャネルを例示する図である。
【００４０】
図４を参照すると、サブフレームは１４個のＯＦＤＭシンボルで構成されている。サブフレーム設定によって先頭の１乃至３個のＯＦＤＭシンボルは制御領域として用いられ、残り１３〜１１個のＯＦＤＭシンボルはデータ領域として用いられる。同図で、Ｒ１乃至Ｒ４は、アンテナ０乃至３に対する参照信号（Reference Signal（ＲＳ）又はPilot Signal）を表す。ＲＳは、制御領域かデータ領域かを問わず、サブフレーム内に一定のパターンで固定される。制御チャネルは、制御領域においてＲＳの割り当てられていないリソースに割り当てられ、トラフィックチャネルもデータ領域においてＲＳの割り当てられていないリソースに割り当てられる。制御領域に割り当てられる制御チャネルには、ＰＣＦＩＣＨ（Physical Control Format Indicator CHannel）、ＰＨＩＣＨ（Physical Hybrid-ARQ Indicator CHannel）、ＰＤＣＣＨ（Physical Downlink Control CHannel）などがある。
【００４１】
ＰＣＦＩＣＨは物理制御フォーマット指示子チャネルであり、サブフレームごとにＰＤＣＣＨに用いられるＯＦＤＭシンボルの個数を端末に知らせる。ＰＣＦＩＣＨは、最初のＯＦＤＭシンボルに位置し、ＰＨＩＣＨ及びＰＤＣＣＨより優先して設定される。ＰＣＦＩＣＨは４個のＲＥＧ（Resource Element Group）で構成され、それぞれのＲＥＧはセルＩＤ（Cell IDentity）に基づいて制御領域内に分散される。一つのＲＥＧは４個のＲＥ（Resource Element）で構成される。ＲＥは、１副搬送波×１ ＯＦＤＭシンボルとして定義される最小物理リソースを表す。ＰＣＦＩＣＨ値は、帯域幅によって１〜３又は２〜４の値を示し、ＱＰＳＫ（Quadrature Phase Shift Keying）で変調される。
【００４２】
ＰＨＩＣＨは、物理ＨＡＲＱ（Hybrid-Automatic Repeat and reQuest）指示子チャネルであり、上りリンク送信に対するＨＡＲＱ ＡＣＫ／ＮＡＣＫを運ぶために用いられる。すなわち、ＰＨＩＣＨは、上りリンクＨＡＲＱのためのＤＬ ＡＣＫ／ＮＡＣＫ情報が送信されるチャネルを表す。ＰＨＩＣＨは、１個のＲＥＧで構成され、セル固有（特定）（cell-specific）にスクランブル（scrambling）される。ＡＣＫ／ＮＡＣＫは１ビットで示され、ＢＰＳＫ（Binary Phase Shift Keying）で変調される。変調されたＡＣＫ／ＮＡＣＫは拡散因子（ファクタ）（Spreading Factor；ＳＦ）＝２又は４で拡散される。同一のリソースにマッピングされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ（グループ）は、周波数領域及び／又は時間領域においてダイバーシチ利得を得るために３回反復（repetition）される。
【００４３】
ＰＤＣＣＨは物理下りリンク制御チャネルであり、サブフレームにおける先頭のｎ個のＯＦＤＭシンボルに割り当てられる。ここで、ｎは１以上の整数であり、ＰＣＦＩＣＨによって示される。ＰＤＣＣＨは一つ又は複数のＣＣＥ（Control Channel Element）で構成される。ＰＤＣＣＨは、トランスポートチャネルであるＰＣＨ（Paging CHannel）及びＤＬ−ＳＣＨ（DownLink-Shared CHannel）のリソース割当てに関する情報、上りリンクスケジューリンググラント（Uplink Scheduling Grant）、ＨＡＲＱ情報などを各端末又は端末グループに知らせる。ＰＣＨ（Paging CHannel）及びＤＬ−ＳＣＨ（DownLink-Shared CHannel）はＰＤＳＣＨを介して送信される。したがって、基地局及び端末は、一般に、特定の制御情報又は特定のサービスデータ以外は、ＰＤＳＣＨを介してデータをそれぞれ送信及び受信する。
【００４４】
ＰＤＳＣＨのデータがいずれの端末（１つ又は複数の端末）に送信されるものか、これら端末がどのようにＰＤＳＣＨデータを受信してデコードしなければならないかに関する情報などは、ＰＤＣＣＨに含まれて送信される。例えば、特定ＰＤＣＣＨが「Ａ」というＲＮＴＩ（Radio Network Temporary Identity）でＣＲＣマスクされており、「Ｂ」という無線リソース（例、周波数位置）及び「Ｃ」という伝送形式情報（例、伝送ブロックサイズ、変調方式、コーディング情報など）を用いて送信されるデータに関する情報が、特定サブフレームで送信されると仮定する。この場合、セル内の端末は、自体が持っているＲＮＴＩ情報を用いてＰＤＣＣＨをモニタリングし、「Ａ」のＲＮＴＩを持っている一つ又は複数の端末があると、これらの端末はＰＤＣＣＨを受信し、受信したＰＤＣＣＨの情報に基づいて「Ｂ」及び「Ｃ」によって指示されるＰＤＳＣＨを受信する。
【００４５】
図５は、ＬＴＥシステムで用いられる上りリンクサブフレームの構造を示す図である。
【００４６】
図５を参照すると、上りリンクサブフレームは、制御情報を運ぶＰＵＣＣＨ（Physical Uplink Control CHannel）が割り当てられる領域と、ユーザデータを運ぶＰＵＳＣＨ（Physical Uplink Shared CHannel）が割り当てられる領域とに区別される。周波数領域では中間部分がＰＵＳＣＨに割り当てられ、周波数領域ではデータ領域の両側部分がＰＵＣＣＨに割り当てられる。ＰＵＣＣＨ上で送信される制御情報には、ＨＡＲＱに用いられるＡＣＫ／ＮＡＣＫ、下りリンクチャネル状態を示すＣＱＩ（Channel Quality Indicator）、ＭＩＭＯのためのＲＩ（Rank Indicator）、上りリンクリソース割当て要求（リクエスト、要請）（request）であるＳＲ（Scheduling Request）などがある。一つの端末に対するＰＵＣＣＨは、サブフレームにおける各スロットで互いに異なる周波数を占める一つのリソースブロックを使用する。すなわち、ＰＵＣＣＨに割り当てられる２個のリソースブロックは、スロット境界で周波数ホッピング（frequency hopping）する。特に、図５は、ｍ＝０のＰＵＣＣＨ、ｍ＝１のＰＵＣＣＨ、ｍ＝２のＰＵＣＣＨ、ｍ＝３のＰＵＣＣＨがサブフレームに割り当てられる場合を例示する。
【００４７】
また、一つのサブフレームにおいてサウンディング参照信号を送信し得る時間は、一つのサブフレームの時間軸上で最後のシンボルが位置する区間であり、周波数上ではデータ送信帯域を通してサウンディング参照信号が送信される。同一のサブフレームの最後のシンボルで送信される複数の端末のサウンディング参照信号は、周波数の位置によって区分することができる。
【００４８】
図６は、ＬＴＥ ＴＤＤシステムにおける無線フレームの構造を示す図である。ＬＴＥ ＴＤＤシステムにおいて、無線フレームは２個のハーフフレーム（half frame）で構成され、各ハーフフレームは、２個のスロットを含む４個のノーマル（一般）（normal）サブフレームと、ＤｗＰＴＳ（Downlink Pilot Time Slot）、保護区間（Guard Period、ＧＰ）及びＵｐＰＴＳ（Uplink Pilot Time Slot）を含むスペシャル（特別）サブフレーム（special subframe）と、で構成される。
【００４９】
スペシャルサブフレームにおいて、ＤｗＰＴＳは、端末での初期セル探索、同期化又はチャネル推定に用いられる。ＵｐＰＴＳは、基地局でのチャネル推定と端末の上りリンク送信の同期（synchronization）とに用いられる。すなわち、ＤｗＰＴＳは、下りリンク送信に、ＵｐＰＴＳは上りリンク送信に用いられ、特に、ＵｐＰＴＳは、ＰＲＡＣＨプリアンブルやＳＲＳ送信の用途に用いられる。また、保護区間は、上りリンクと下りリンクとの間に下りリンク信号のマルチ（多重）パス（multipath）遅延によって上りリンクで生じる干渉を除去するための区間である。
【００５０】
一方、ＬＴＥ ＴＤＤシステムにおいて上りリンク／下りリンクサブフレーム設定（UL/DL configuration）は、下記の表１のとおりである。
【００５１】
【表１】
0006276425.tif 000002
【００５２】
上記の表１で、Ｄは下りリンクサブフレーム、Ｕは上りリンクサブフレームを表し、Ｓはスペシャルサブフレームを表す。また、上記の表１は、それぞれのシステムにおいて、上りリンク／下りリンクサブフレーム設定における下りリンク−上りリンク切替（スイッチング）（switch-point）周期も示している。
【００５３】
以下では、キャリアアグリゲーション（carrier aggregation）技法に関して説明する。図７は、キャリアアグリゲーション（carrier aggregation）を説明する概念図である。
【００５４】
キャリアアグリゲーションは、無線通信システムがより広い周波数帯域を使用するために、端末が上りリンクリソース（又は、コンポーネント搬送波（component carriers））及び／又は下りリンクリソース（又は、コンポーネント搬送波）で構成された周波数ブロック又は（論理的意味の）セルを複数個用いて一つの大きな論理周波数帯域として使用する方法を意味する。以下では、説明の便宜のために、コンポーネント搬送波という用語に統一するものとする。
【００５５】
図７を参照すると、全体のシステム帯域（System BandWidth；Ｓｙｓｔｅｍ  ＢＷ）は論理帯域であって、最大１００ＭＨｚの帯域幅を有する。全体のシステム帯域は、５個のコンポーネント搬送波を含み、それぞれのコンポーネント搬送波は最大２０ＭＨｚの帯域幅を有する。コンポーネント搬送波は、物理的に連続した一つ又は複数の連続した副搬送波を含む。図７では、それぞれのコンポーネント搬送波がいずれも同一の帯域幅を有するとしたが、これは例示に過ぎず、それぞれのコンポーネント搬送波は、互いに異なる帯域幅を有することもできる。また、それぞれのコンポーネント搬送波は周波数領域で互いに隣接しているとしたが、同図は論理的な概念で図示したものであり、それぞれのコンポーネント搬送波は物理的に互いに隣接していてもよく、離れていてもよい。
【００５６】
中心搬送波（周波数）（Center frequency）は、それぞれのコンポーネント搬送波に対して個別に使用してもよく、物理的に隣接したコンポーネント搬送波に対して共通した一つの中心搬送波を使用してもよい。一例として、図７で、全てのコンポーネント搬送波が物理的に隣接していると仮定すれば、中心搬送波Ａを使用することができる。また、それぞれのコンポーネント搬送波が物理的に隣接していない場合を仮定すれば、各コンポーネント搬送波に対してそれぞれ中心搬送波Ａ、中心搬送波Ｂなどを使用することができる。
【００５７】
本明細書において、コンポーネント搬送波は、レガシシステムのシステム帯域に対応（該当）する（correspond）とすることができる。コンポーネント搬送波をレガシシステムを基準に定義することによって、発展した端末とレガシ端末とが共存する無線通信環境で後方互換性（逆支援性）（backward compatibility)の提供及びシステム設計を容易にすることができる。一例として、ＬＴＥ−Ａシステムがキャリアアグリゲーションをサポートする場合に、それぞれのコンポーネント搬送波はＬＴＥシステムのシステム帯域に対応するものとすることができる。この場合、コンポーネント搬送波は、１．２５、２．５、５、１０又は２０ＭＨｚ帯域幅のいずれかを有することができる。
【００５８】
キャリアアグリゲーションによって全体のシステム帯域を拡張した場合に、各端末との通信に使われる周波数帯域はコンポーネント搬送波単位で定義される。端末Ａは、全体システム帯域である１００ＭＨｚを使用することができ、５個のコンポーネント搬送波を全て使用して通信を行う。端末Ｂ１〜Ｂ５は、２０ＭＨｚ帯域幅のみを使用することができ、１個のコンポーネント搬送波を使用して通信を行う。端末Ｃ１及びＣ２は、４０ＭＨｚ帯域幅を使用することができ、それぞれ２個のコンポーネント搬送波を使用して通信を行う。ここで、２個のコンポーネント搬送波は論理／物理的に隣接していてもよく、隣接していなくてもよい。端末Ｃ１は、隣接していない２個のコンポーネント搬送波を使用する場合を表し、端末Ｃ２は、隣接している２個のコンポーネント搬送波を使用する場合を表す。
【００５９】
ＬＴＥシステムの場合、１個の下りリンクコンポーネント搬送波と１個の上りリンクコンポーネント搬送波とを使用するのに対し、ＬＴＥ−Ａシステムでは、図７に示すように、複数のコンポーネント搬送波を使用してもよい。このとき、制御チャネルがデータチャネルをスケジューリングする方式は、従来（既存）のリンク搬送波スケジューリング（Linked carrier scheduling）方式とクロス搬送波スケジューリング（Cross carrier scheduling）方式とに分類することができる。
【００６０】
より具体的には、リンク搬送波スケジューリングは、単一コンポーネント搬送波を用いるレガシＬＴＥシステムのように、特定コンポーネント搬送波で送信される制御チャネルは、該特定コンポーネント搬送波を用いてデータチャネルのみをスケジュールする。
【００６１】
一方、クロス搬送波スケジューリングは、搬送波指示子フィールド（Carrier Indicator Field；ＣＩＦ）を用いてプライマリコンポーネント搬送波（Primary CC）で送信される制御チャネルが、該プライマリコンポーネント搬送波で送信されるかあるいは他のコンポーネント搬送波で送信されるデータチャネルをスケジュールする。
【００６２】
以下、ＬＴＥシステムにおける上りリンク送信電力制御方法に関して説明する。
【００６３】
端末が自体の上りリンク送信電力を制御する方法としては、開ループ電力制御（Open Loop Power Control；ＯＬＰＣ）と閉ループ電力制御（Closed Loop Power Control；ＣＬＰＣ））とを含む。このうち、前者は、端末の属したセルの基地局からの下りリンク信号減衰を推定し、これを補償する方式（形態）（manner）で電力制御をするための因子であり、端末から基地局までの距離がより増加して下りリンクの信号減衰が大きい場合、上りリンクの送信電力をより高める方式で上りリンク電力を制御する。そして、後者は、基地局から、上りリンク送信電力を調節する上で必要な情報（すなわち、制御信号）を直接伝達する方式で上りリンク電力を制御する。
【００６４】
【数１】
0006276425.tif 000003
【００６５】
【数２】
0006276425.tif 000004
【００６６】
【数３】
0006276425.tif 000005
【００６７】
【数４】
0006276425.tif 000006
【００６８】
【数５】
0006276425.tif 000007
【００６９】
【数６】
0006276425.tif 000008
【００７０】
【数７】
0006276425.tif 000009
【００７１】
【数８】
0006276425.tif 000010
【００７２】
【数９】
0006276425.tif 000011
【００７３】
【数１０】
0006276425.tif 000012
【００７４】
【数１１】
0006276425.tif 000013
【００７５】
【数１２】
0006276425.tif 000014
【００７６】
【表２】
0006276425.tif 000015
【００７７】
【数１３】
0006276425.tif 000016
【００７８】
【数１４】
0006276425.tif 000017
【００７９】
【表３】
0006276425.tif 000018
【００８０】
【表４】
0006276425.tif 000019
【００８１】
【数１５】
0006276425.tif 000020
【００８２】
次の式３は、ＬＴＥシステムにおけるＰＵＣＣＨに対する上りリンク電力制御関連式である。
【００８３】
【数１６】
0006276425.tif 000021
【００８４】
【数１７】
0006276425.tif 000022
【００８５】
【数１８】
0006276425.tif 000023
【００８６】
【数１９】
0006276425.tif 000024
【００８７】
【数２０】
0006276425.tif 000025
【００８８】
【数２１】
0006276425.tif 000026
【００８９】
【表５】
0006276425.tif 000027
【００９０】
【表６】
0006276425.tif 000028
【００９１】
次の式４は、ＬＴＥシステムにおけるサウンディング参照信号（ＳＲＳ）の電力制御関連式である。
【００９２】
【数２２】
0006276425.tif 000029
【００９３】
【数２３】
0006276425.tif 000030
【００９４】
【数２４】
0006276425.tif 000031
【００９５】
以下、サウンディング参照信号について説明する。
【００９６】
【数２５】
0006276425.tif 000032
【００９７】
【数２６】
0006276425.tif 000033
【００９８】
【数２７】
0006276425.tif 000034
【００９９】
一つのＣＡＺＡＣシーケンスから循環シフトによって生成されたＣＡＺＡＣシーケンスは、それぞれ、自体と異なる環シフト値を有するシーケンスとゼロ相関（零の相関）値（zero-correlation）を有する特性がある。このような特性を用いて、同一周波数領域のサウンディング参照信号をＣＡＺＡＣシーケンス循環シフト値によって区別することができる。各端末のサウンディング参照信号は、基地局で設定するパラメータによって周波数上に割り当てられる。端末は、上りリンクデータ送信帯域幅全体を通じてサウンディング参照信号を送信できるように、サウンディング参照信号の周波数ホッピング（跳躍）（frequency hopping）を行う。
【０１００】
以下では、ＬＴＥシステムでサウンディング参照信号を送信するための物理リソースをマッピングする具体的な方法について説明する。
【０１０１】
【数２８】
0006276425.tif 000035
【０１０２】
【数２９】
0006276425.tif 000036
【０１０３】
【数３０】
0006276425.tif 000037
【０１０４】
【数３１】
0006276425.tif 000038
【０１０５】
【数３２】
0006276425.tif 000039
【０１０６】
【数３３】
0006276425.tif 000040
【０１０７】
【数３４】
0006276425.tif 000041
【０１０８】
【数３５】
0006276425.tif 000042
【０１０９】
【数３６】
0006276425.tif 000043
【０１１０】
【数３７】
0006276425.tif 000044
【０１１１】
【数３８】
0006276425.tif 000045
【０１１２】
【数３９】
0006276425.tif 000046
【０１１３】
【数４０】
0006276425.tif 000047
【０１１４】
【数４１】
0006276425.tif 000048
【０１１５】
【数４２】
0006276425.tif 000049
【０１１６】
【数４３】
0006276425.tif 000050
【０１１７】
【数４４】
0006276425.tif 000051
【０１１８】
【数４５】
0006276425.tif 000052
【０１１９】
【数４６】
0006276425.tif 000053
【０１２０】
【数４７】
0006276425.tif 000054
【０１２１】
【表７】
0006276425.tif 000055
【０１２２】
【表８】
0006276425.tif 000056
【０１２３】
一方、上記周期的ＳＲＳの場合、ＦＤＤシステムあるいは上記表８でＴSRS＞２であるＴＤＤシステムにおいては、下記の式１５を満たすサブフレームで送信される。ただし、式１５でＦＤＤシステムの場合、ｋSRS＝｛０，１，．．．，９｝に対応し、ＴＤＤシステムの場合、ｋSRSは下記の表９によって決定される。
【０１２４】
【数４８】
0006276425.tif 000057
【０１２５】
【表９】
0006276425.tif 000058
【０１２６】
また、上記表８で、ＴSRS＝２であるＴＤＤシステムにおいては、下記の式１６を満たすサブフレームで送信される。
【０１２７】
【数４９】
0006276425.tif 000059
【０１２８】
下記の表１０及び表１１はトリガタイプ１、つまり非周期的ＳＲＳに関する周期及びオフセット情報である。特に、表１０はＦＤＤシステムの場合、表１１はＴＤＤシステムの場合を示す。
【０１２９】
【表１０】
0006276425.tif 000060
【０１３０】
【表１１】
0006276425.tif 000061
【０１３１】
一方、サブフレーム＃ｎで上記非周期的ＳＲＳのトリガビットを検出した場合、サブフレームインデックス＃ｎ＋ｋ（但し、ｋ≧４）以後、下記の式１７又は式１８を満たす第一サブフレームで上記トリガビットに対応する非周期的ＳＲＳが送信される。特に、下記の式１７はＦＤＤシステムあるいは上記表１１でＴSRS＞２であるＴＤＤシステムのためのものであり、下記の式１８は上記表１１でＴSRS＝２であるＴＤＤシステムのためのものである。ただし、式１７でＦＤＤシステムの場合、ｋSRS＝｛０，１，．．．，９｝であり、ＴＤＤシステムの場合、ｋSRSは上記表９によって決定される。
【０１３２】
【数５０】
0006276425.tif 000062
【０１３３】
【数５１】
0006276425.tif 000063
【０１３４】
リソース割当てタイプ（Resource Allocation Type）
以下、リソース割当て単位であるＲＢ（Resource Block）をスケジューリングする方法を説明する。
【０１３５】
システムのＰＲＢの数（ＮPRB）をＰＲＢ一つの稠密度（density）で自由にスケジューリングするためには、スケジューリングを受けるＵＥ当たりＮPRBビットのビットマップが必要になる。システムのＰＲＢの数（ＮPRB）が大きい場合、これを送信することは制御情報量に関して負担となる。したがって、稠密度を減らすか帯域を分割し、一部の帯域でのみ稠密度を高めて送信するなどの方法が必要である。
【０１３６】
３ＧＰＰ ＬＴＥでは、先に提起したように、ビットマップを用いた送信時のオーバーヘッドを考慮してビットマップを構成する方式が提案された。
【０１３７】
図８は一実施例によるＲＢ割当てを例示する。
【０１３８】
リソース割当てのためのシグナリングは、ヘッダ及びビットマップから構成される。ヘッダはシグナリング方式を知らせて、ビットマップを解釈する方法を異にする（represent）ことができるようになる。まず、ビットマップの活用はＲＢＧ方式とサブセット方式との２つの方法に大別される。
【０１３９】
ＲＢＧ方式は、ＲＢを数個ずつ束ねてグルーピングし、これを基本単位にして割り当てる方式を取る。グループの大きさによってリソース割当ての稠密度が低くなる一方、ビットマップのビット数を減少させることができる。図８の例示では、ＮPRB＝３２であるので、１個のＲＢ単位のリソース割当てのためには全部で３２ビットのビットマップが必要になる。しかし、ＲＢ３個をグルーピングして（Ｐ＝ＭRBG＝３）ＲＢＧ（RB Group）単位の稠密度でリソースを割り当てれば、全部で１１個のグループが存在するので、１１ビットのビットマップのみが必要になって制御情報量を大きく減らすことができる。一方、このようなＲＢＧグループ単位で割り当てる場合、稠密度の減少によって３個未満のＲＢの割当てができず、細密なリソース割当てが不可能になる。ＲＢＧの大きさは表１３のようにシステム周波数帯域に設定されたＲＢの数によって定義されている。
【０１４０】
【表１２】
0006276425.tif 000064
【０１４１】
ＲＢＧ方式を補うために、サブセット方式が用いられる。サブセット方式は幾つかのＲＢＧをサブセットに設定し、対応する（該当の）サブセット内でＲＢ単位でリソースを割り当てる。ＲＢＧ方式において１１ビットのビットマップを用いるためにＲＢＧ単位と同数である３個のサブセットを設定すれば、ＮRB／Ｐ＝ｃｅｉｌｉｎｇ（３２／３）＝１１である。よって、同じ１１ビットでサブセット内のＲＢをＲＢ単位で指示することができるようになる。ただし、ビットマップがＲＢＧに単位割当てを用いるかそれともサブセット方式を用いるか、かつサブセット方式であればどのサブセット（を表示（指示）する）かを知らせなければならないため、ヘッダ情報が必要である。ヘッダ情報がＲＢＧ方式であるかサブセット方式であるかのみを指示し、サブセットの種類はＲＢＧに使われるビットマップの一部のビットを用いる場合、全ての（全体）（all）サブセット内のＲＢを指示することができない場合が発生する。これを解決するために、ＲＢＧ ｂｉｔｍａｐからさらに１ビットを差し引き、サブセットビットマップが指示するＲＢの位置をシフトさせることができる。
【０１４２】
図９はＲＢ割当ての他の一実施例を示す。
【０１４３】
端末器に一群の隣接したＲＢのみを割り当てる場合を考慮すれば、割り当てられるＲＢの情報はＲＢの開始点及びその数で表現することができる。この場合、図９のように、各開始点によって使えるＲＢの長さはそれぞれ異なり、最終的にＲＢ割当ての組合せの数はＮRB（ＮRB＋１）／２になる。したがって、これに必要なビットの数はｃｅｉｌｉｎｇ（ｌｏｇ2（ＮRB（ＮRB＋１）／２））ビットになる。ここで、ｃｅｉｌｉｎｇ（ｘ）は一番近い整数への切り上げ値を意味する。
【０１４４】
結局、ビットマップ方式に比べ、ＮRB数の増加によるビット数の増加が余り大きくない利点がある。以下、このような方式をコンパクト方式という。
【０１４５】
例えば、全てのＲＢの数が３２であるとき、１ＲＢ単位の稠密度でリソースをスケジューリングする場合、ビットマップを使えば３２ビットが必要であるが、コンパクト方式を使う場合、ｃｅｉｌｉｎｇ（ｌｏｇ2（３２（３２＋１）／２））＝１０ビットが必要になる。上記でＲＢＧ単位で割り当てる場合の１１ビットに比べると、所要ビット数が大きく減少しないが１ＲＢの稠密度でリソースを割り当てることができる利点がある反面、二つ以上の連続しない（非連続な）（non-consecutive）リソースを割り当てることができない欠点がある。
【０１４６】
図１０はＤＶＲＢの割当てを例示する。
【０１４７】
まず、システム帯域によってＧａｐの大きさであるＮGap値とＲＢＧの大きさであるＭRBG値が決定され、これによってインターリーバの大きさが決定される。ＤＶＲＢ ｉｎｄｅｘをインターリーブしてＰＲＢに対応させるとき、連続するＤＶＲＢインデックスが連続（隣接）した（consecutive）ＰＲＢに対応せずに分散されるように予め配置し、第２スロットの場合、第１スロットから離れてマッピングされるようにサイクリックシフト（Cyclic Shift）を付け加えてマッピングして、分割された集合（分割部集合）の分散（dispersion of split sets）も可能になるようにし、（この値に）さらに全てのＤＶＲＢの数の半分以上に対応（相当）する値は、上記で定義されたＮGap条件に合うようにＯｆｆｓｅｔ値が付け加えられてマッピングされる。このようなマッピング方法は、前述したＲＢＧ方式とサブセット方式を用いたビットマップ方式との組合せを考慮し、隣接したＤＶＲＢインデックスはなるべく同じサブセットに含まれ、ＲＢＧを順次満たして行くことができるように構成されている。
【０１４８】
このような手順によってＵＥが２個のＤＶＲＢを割り当てられた場合、ダイバーシチ次数（オーダ）（diversity order）が４に増加してダイバーシチ利得をもっと得ることができるようにしている。
【０１４９】
ＭＴＣ（Machine Type Communication）
前述したＬＴＥ−Ａシステムに対する事項の少なくとも一部は、後述するＭＴＣをサポートする無線通信システム、基地局及び／又はＭＴＣ端末に適用可能である。ＬＴＥ−Ａの次期システムは、計量器検針、水位測定、監視カメラの活用、自動販売機の在庫報告などのデータ通信を主とする低価／低スペック（抵仕様）（low-specification）の端末を構成することを考慮している。このような端末を便宜上ＭＴＣ（Machine type communication）端末又はＢＬ（Bandwidth reduced Low complexity）／ＣＥ（Coverage Enhancement）ＵＥという。ＭＴＣ端末の場合、伝送データ量が少なく、上り／下りリンクデータ送受信が時々発生する（頻繁に行われない）（are not frequently performed）。よって、このような低いデータ伝送率に合わせて端末器の価格を低くし、バッテリの消費（消耗）（battery consumption）を減らすことが効率的である。
【０１５０】
一般的なＮｏｎ−ＭＴＣ端末に対しては、キャリア当たり最大２０ＭＨｚ帯域幅がサポートされる。しかし、ＭＴＣ端末の費用を低減するためにサポートされる帯域幅の大きさが２０ＭＨｚより小さく設定されることができる（例えば、６ＲＢ）。このような帯域幅の低減は上り／下りリンク、ＲＦ／ベースバンド装置及びデータ／制御チャネルに適用可能である。具体的には、ＭＴＣ端末の場合、実際に対応する（該当の）セルの動作システム帯域幅とは異なるように、例えば６ＲＢに低減した帯域幅上でＭＴＣ端末の上り／下りリンク動作が行われることができる。以下で、低減した帯域（reduced band）は、狭帯域（narrow band）又はサブバンド（subband）と言うことができる。
【０１５１】
図１１は、本発明の一実施例によるＭＴＣ端末の上りリンクチャネルを例示する。図１１を参照すると、システムの上りリンク帯域幅は２０ＭＨｚであり、端末に設定された帯域幅は１．０８ＭＨｚであると仮定する。この際、ＭＴＣ端末の具現の便宜のために、端末の帯域幅内で一部の周波数リソースはデータ伝送に使われないこともできる。
【０１５２】
以下では、説明の便宜上一つのサブバンドの大きさが６ＲＢであると仮定するが、他の大きさのサブバンドもサポート可能である。特定セルの帯域幅の大きさがＮRBであるとき、該当の帯域幅には「ＮRB／６」を超えない（最大の）整数個のサブバンド（an integer number of subbands, which does not exceed “NRB / 6”）が存在することができる。以下では、一つのセルの帯域幅は便宜上システム帯域幅と言える。帯域幅はＤＬ帯域又はＵＬ帯域を意味することができる。ＤＬ帯域幅とＵＬ帯域幅とはシステム環境によって同一に設定されるかあるいは異なって設定されることもできる。
【０１５３】
ＭＴＣ端末は移動性が低いため、チャネル環境がほとんど変わらない特性を持っている。現在のＬＴＥ−Ａにおいては、このようなＭＴＣ端末が広い上り／下りリンクカバレージ（coverage）を有するように多様なＣＥ技法が論議されている。ＭＴＣ端末のカバレージ向上及び劣悪な電波環境の克服のための例示的方法（方案）として、反復伝送技法が使われることができる。反復伝送ごとにリダンダンシバージョン（redundancy version）は同一にあるいは異なって設定されることができる。
【０１５４】
一方、システム帯域のうち、ＭＴＣ端末が使うサブバンドのチャネル状態が悪ければ、信号が劣化する問題点だけではなく、劣悪なサブバンドで長期間の間に信号を繰り返し送受信するＭＴＣ端末のバッテリが早く消費される問題点がある。このような問題点を解決するために、信号が繰り返し送信されるサブバンドが時間によって変更されることができる（例えば、周波数ホッピング又は周波数ホッピングサブバンド）。サブバンドが変更されることによってダイバーシチ利得（diversity gain）が発生し、繰り返し伝送の回数が減少することができる。よって、周波数ホッピングはＭＴＣ端末の信号送受信性能を向上させるとともにＭＴＣ端末のバッテリの消費を減らすことができる。よって、基地局は、ＭＴＣ端末に周波数ホッピングが可能か否か及び周波数ホッピングサブバンドについての情報を設定することができる。ＭＴＣ信号の周波数ホッピングの場合、同じサブバンド（又は帯域）内で信号が送信される周波数がホッピングされるのではなく、サブバンドそのものが変更されて（例えば、ホッピング）送信される。
【０１５５】
１． ＰＵＳＣＨリソース割当て及びＰＵＣＣＨリソース割当て
ＭＴＣ端末は、基地局から自分の動作帯域幅内でＰＵＳＣＨリソースを割り当てられて動作する。ＰＵＳＣＨリソースは、例えば次のような方法で割り当てられることができる。
【０１５６】
（１）ＰＵＳＣＨリソース割当て方法１
基地局は、上りリンクシステム帯域幅（Uplink system bandwidth）を複数のサブバンドに分割し、特定サブバンドのＰＵＳＣＨリソースをＭＴＣ端末に割り当てることができる。基地局は、ＰＵＳＣＨリソースが割り当てられるサブバンドについての情報を上位層シグナリング（例えば、ＲＲＣ ｓｉｇｎａｌｉｎｇ）又はＭＴＣ ＰＤＣＣＨ（例えば、ＤＣＩ）を介して指示することができる。
【０１５７】
他の方法として、ＰＵＳＣＨリソースが割り当てられる位置を前もって定義された位置に固定することもできる。
【０１５８】
さらに他の方法として、ＰＵＳＣＨリソースが割り当てられるサブバンドが周波数ホッピングによって変更されることもできる。例えば、ＰＵＳＣＨリソースを含むサブバンドが前もって定義された周波数ホッピングパターンによって変更されることができる。具体的には、ＭＴＣ端末のために全部でＮ個のサブバンドが存在し、一つの無線フレーム内で各サブフレームに対応するサブバンドのインデックスが順次｛０，２，４，０，２，４，０，２，４，１｝であると仮定する。ＭＴＸ端末は、サブバンド０番、２番、４番、．．．などの順にサブフレームごとにサブバンドをホッピングしながらＰＵＳＣＨを送信することができる。ＰＵＳＣＨ伝送のためのサブバンドのホッピングパターンはセル固有（cell-specific）に、あるいは端末固有に設定されることもできる。例えば、端末固有のサブバンドのホッピングパターン設定は、複数（多重）の端末間で発生することができる衝突を低減するために使われることができる。
【０１５９】
（２）ＰＵＳＣＨリソース割当て方法２
本発明の他の一実施例によると、上りリンクシステム帯域幅内でＭＴＣ ＰＤＣＣＨ（例えば、ＤＣＩ）を介してＭＴＣ端末にＰＵＳＣＨリソースが割り当てられることができる。一般に、ＤＬデータ伝送（例えば、ＰＤＳＣＨ）はＰＤＣＣＨを介してＤＬリソース割当てが受信されたサブフレームと同一のサブフレームで行われるが、ＵＬデータ伝送（例えば、ＰＵＳＣＨ）はＰＤＣＣＨを介してＵＬリソース割当てが受信されたサブフレームから４個のサブフレームの後に行われる。よって、一般的な上りリンク伝送の場合、端末は、ＰＤＣＣＨを介してＵＬリソース割当て情報を受信した後、割り当てられたＵＬリソースに対応するＲＦ周波数にチューニングし（例えば、４サブフレーム時間内に）ＵＬデータを送信することができる。
【０１６０】
基地局は、ＰＵＣＣＨリソースをＭＴＣ端末に設定するために、ＰＵＣＣＨリソースについての情報をシグナリングすることができる。ＰＵＣＣＨリソースについての情報をシグナリングする方法は、例えば、（ｉ）ＰＵＣＣＨリソースが始まるＲＢインデックスをシグナリングする方法、これは追加的にＡＣＫ／ＮＡＣＫリソースインデックス及び／又はＣＳＩリソースインデックスをシグナリングすることができる。（ii）ＡＣＫ／ＮＡＣＫが送信されるＲＢの開始インデックスをシグナリングする方法、（iii ）ＣＳＩを送信するＲＢの開始インデックスをシグナリングする方法、（iv）ＰＵＣＣＨを送信するときの中心周波数（center frequency）をシグナリングする方法などを用いることができる。
【０１６１】
（３）ＰＵＣＣＨリソース割当て
一実施例によると（例えば、ＰＵＳＣＨリソース割当て方法１）、ＰＵＣＣＨリソースはＰＵＳＣＨ伝送のために設定されたサブバンド内に設定されることもできる。例えば、ＰＵＳＣＨリソース及びＰＵＣＣＨリソースが共に同じサブバンドに存在することができる。
【０１６２】
他の例によると、ＰＵＳＣＨリソースとＰＵＣＣＨリソースとは互いに異なるサブバンドに設定されることもできる。
【０１６３】
ＰＵＳＣＨが静的に固定される場合又はＰＵＳＣＨが準静的に設定される場合には、ＰＵＣＣＨ及びＰＵＳＣＨの位置が一つのサブバンドに設定されることが好ましい。しかし、ＰＵＳＣＨが上位層シグナリング（higher layer signaling）又はＤＣＩによって動的に設定される場合、ＰＵＳＣＨの位置変更によってＰＵＣＣＨの位置を毎回変更するオーバーヘッドを減らすために、ＰＵＳＣＨとＰＵＣＣＨとは互いに異なるサブバンドに設定されることもできる。
【０１６４】
ＰＵＳＣＨリソース割当て方法２の場合、ＰＵＳＣＨリソースは、上りリンクシステム帯域幅内でＤＣＩを送信するＰＤＣＣＨによって変わる（可変する）（varied）ことができる。ＰＵＣＣＨリソースは、上位層シグナリング（例えば、ＲＲＣ）を用いて準静的（quasi-statically）に設定されることができる。
【０１６５】
２． ＭＴＣ端末のＵＬ伝送
（１）ＳＲＳ伝送
本発明の一実施例によると（例えば、ＰＵＳＣＨリソース割当て方法１をサポートするため）、ＭＴＣ端末は、基地局が各サブバンドのＵＬチャネル情報を獲得することができるようにＳＲＳを送信することができる。
【０１６６】
ＳＲＳ伝送サブバンド内に制限され、ＭＴＣ端末が該当のサブバンド以外の帯域に対するＳＲＳ伝送を行うように設定された場合、（該当のサブバンド以外の帯域に対する）ＳＲＳ伝送は行わないこともできる。
【０１６７】
ＭＴＣ端末が二つのサブバンドにかけてＳＲＳ伝送を行うように設定された場合にもＳＲＳ伝送を行わないこともできる。また、他の方法として、ＭＴＣ端末は該当の（対応する）サブバンドに属する帯域に対してのみＳＲＳを送信することもできる。
【０１６８】
ＭＴＣ端末は、最適なサブバンドの選択をサポートするために、順次各サブバンドに対するＳＲＳを送信することができる。この場合、ＳＲＳ伝送帯域は、該当のサブバンド全体ではなく、特定の周波数リソースに設定されることもできる。
【０１６９】
初期サブバンドの選択において、ＭＴＣ端末は、ランダムアクセスを行った後、各サブバンドに対するＳＲＳを順次送信してから初期サブバンドを割り当てられることができる。
【０１７０】
従来（既存）の（conventional）ＳＲＳ伝送方式によると、サブフレームの最後のＳＣ−ＦＤＭＡシンボルでＳＲＳが送信されるように制限されたが、このような制約事項はＭＴＣ端末のＳＲＳ伝送に適用されないこともできる。例えば、ＭＴＣ端末のＳＲＳの伝送帯域が特定のサブバンドに限定される場合、最後のＳＣ−ＦＤＭＡシンボルの外に他のシンボルでＳＲＳが送信されることもできる。
【０１７１】
本発明の一実施例によると、周波数同調（frequency tuning）などに必要な遅延（例えば、Ｇｕａｒｄ Ｐｅｒｉｏｄ）を考慮し、サブフレームの最後のＮ個のシンボル（例えば、サブフレームの第２スロット）又は最初のＮ個のシンボル（例えば、サブフレームの第１スロット）はＵＬ／ＤＬ送受信に用いられないことができる（例えば、上位層シグナリング）。例えば、ＭＴＣ端末が上りリンク物理チャネルを送信する場合、上りリンク物理チャネルが送信されるサブバンドが変更されることができる（例えば、周波数ホッピングなど）。具体的には、ＭＴＣ端末が第１サブフレームでは第１サブバンドを介して第１ＵＬ物理チャネルを送信し、第２サブフレームでは第２サブバンドを介して第２物理チャネルを送信すると仮定する。この際、第１サブフレームと第２サブフレームとは互いに連続するサブフレームであり、第１サブバンドと第２サブバンドとが互いに異なるとすると、ＭＴＣ端末が第１ＵＬ物理チャネルを送信してから第２ＵＬ物理チャネルを送信するためには、周波数再同調（frequency retuning）が行われなければならない。
【０１７２】
ＭＴＣ端末が一般端末とは異なって周波数再同調が必要な理由は、ＭＴＣ端末は低コスト、低複雑度のために一度に処理することができる周波数帯域（の大きさ）が特定サブバンドに制限されることができるからである。言い換えれば、ｎｏｎ−ＭＴＣ端末は全体のシステム帯域（例えば、第１サブバンド＋第２サブバンドを含む）を一度に処理することができるので、ｎｏｎ−ＭＴＣ端末は第１サブフレームで第１サブバンドを介して信号を送信してから直ちに第２サブフレームで第２サブバンドを介して信号を送信することもできる（例えば、周波数再同調のためのＧＰ期間が不要である）。しかし、ＭＴＣ端末は全体のシステム帯域の中で一部の帯域（例えば、１サブバンド）のみを一度に処理することができるので、ＭＴＣ端末は第１サブフレームで第１サブバンドを介して信号を送信してから第２サブバンドで周波数再同調を行わなければならない。ＭＴＣ端末は第２サブバンドで周波数再同調を行った後、第２サブフレームで第２サブバンドを介して信号を送信することができる。このように、ＭＴＣ端末の場合、連続したサブフレームで相異なるサブバンドを介して信号を送信するためには、周波数再同調に必要な時間が確保されなければならない。周波数再同調に必要な時間を確保するために、第１サブフレームの最後のＮ個のシンボル及び／又は第２サブフレームの最初のＮ個のシンボルの少なくとも一部が周波数再同調のために設定されることができる。ＭＴＣ端末は周波数再同調を行う間にＵＬ信号伝送を行うことができない。すなわち、周波数再同調が行われるシンボルはＵＬ信号の伝送が行われない。
【０１７３】
周波数再同調に要求される時間は、例えばＮ個のＳＣ−ＦＤＭＡシンボル（例えば、２個のシンボル）であると例示するが、これに限定されない。また、前述した実施例において、第１サブフレームの最後のＮ個のシンボル又は第２サブフレームの最初のＮ個のシンボルが周波数再同調に使われることを例示したが、さらに他の実施例によると、第１サブフレームの最後のｎ／２個のシンボル（例えば、１個のシンボル）及び第２サブフレームの最初のｎ／２個のシンボル（例えば、１個のシンボル）が周波数再同調のために設定されることもできる。このように、周波数再同調のためにＵＬ／ＤＬ伝送が行われないシンボルは上位層シグナリングによって設定されることもできるが、これに限定されない。
【０１７４】
一方、第１サブフレームの第１サブバンドにＳＲＳ伝送がスケジューリングされた状況でＳＲＳが送信されないことを防止するために、ＳＲＳが第１サブフレームの最後のシンボルの外に他のシンボルで送信されるように設定されることもできる。例えば、第１サブフレームで周波数再同調のために最後のｎ個のシンボルが設定されるとき、最後のｎ個のシンボルを除いた残りの使用可能な（可用）（available）シンボルの中で最後のシンボル又は他のシンボルでＳＲＳが送信されることもできる。
【０１７５】
ＳＲＳが送信されるシンボルは上位層シグナリングによって設定されることができる。上位層シグナリングは、（ｉ）各サブフレームの最初のシンボル及び最後のシンボルナンバ、（ii）ＳＲＳが送信されるシンボルのインデックスを設定（例えば、端末固有）することができる。（ｉ）各サブフレームの最初のシンボル及び最後のシンボルナンバ設定のための上位層シグナリング：基地局は各サブフレームの始端及び終端を端末固有に設定することができる。このような設定は下りリンクサブフレームに適用されることもできる。また、このような設定は、ＭＴＣ端末がサブフレーム間の送信オン／オフ切替（転換）（change）時に発生する過渡期間（transient period）に対する要求条件（requirement）を満たす（合わせる）（meet）ことができなかった場合、次の端末の送信に対する被害を減らすか、ｈａｌｆ−ｄｕｐｌｅｘ端末がＤＬからＵＬに切り替わるときに発生する遅延（ディレー）（delay）に対するギャップ（gap）設定を避けるために使われることもできる。
【０１７６】
一実施例によると（例えば、ＰＵＳＣＨリソース割当て方法２をサポートするため）、ＭＴＣ端末は、基地局がＵＬシステム帯域幅に関するチャネル情報を獲得するようにＳＲＳを送信することができる。
【０１７７】
一方、一実施例によると（例えば、ＰＵＳＣＨリソース割当て方法１あるいは２のようなＰＵＳＣＨリソース割当て方式の場合）、（ｉ）ＳＲＳ及びＰＵＣＣＨの連続伝送がスケジューリングされる場合、（ii）ＰＵＳＣＨの連続伝送がスケジューリングされる場合（例えば、第１サブフレームでＰＵＳＣＨを送信し、第２サブフレームでＰＵＳＣＨを送信する場合）、又は（iii ）ＰＵＣＣＨ及びＰＵＳＣＨの連続伝送がスケジューリングされる場合などにおいて、ＲＦ周波数同調（tuning）のために伝送の制限が発生することができる。ＲＦ再同調のために必要な時間は一つのサブフレームに相当する一部又は全てのシンボルに相当する時間であることができるが、これに限定されない。例えば、ＲＦ再同調に必要な時間は２個のシンボルの長さに対応することができる。
【０１７８】
（２）一つのサブフレームでＰＵＳＣＨ及びＳＲＳ伝送
ＰＵＳＣＨ伝送のために割り当てられた時間リソース（例えば、サブフレーム）でＳＲＳ伝送がスケジューリングされ、ＳＲＳ伝送のために設定された周波数リソース（例えば、ＳＲＳのためのサブバンド）がＭＴＣ端末の動作（operating）帯域幅（例えば、ＰＵＳＣＨのためのサブバンド）に含まれない（を外れている）（not included）場合、ＳＲＳ伝送のためのＲＦ周波数再同調（re-tuning）時間が必要であるため、ＭＴＣ端末は、ＳＲＳ伝送を行わず、ＳＲＳ伝送のためのシンボルでＰＵＳＣＨデータを送信することができる。
【０１７９】
他の方法として、ＭＴＣ端末はＳＲＳ伝送を行い、ＰＵＳＣＨのサブフレームの最初（初期）の（initial）一部のシンボルを介してＲＦ周波数再同調（re-tuning）のための時間を確保することもできる。よって、ＰＵＳＣＨデータは確保された時間区間（例えば、シンボル数）に相当する量だけレートマッチング（rate matching）されて送信されることができる。
【０１８０】
また、他の方法として、ＲＦ周波数再同調（re-tuning）のための時間区間がシンボルの長さより小さい場合、ＳＲＳシンボルを該当の時間区間の分だけ減らして送信することができる。
【０１８１】
ＰＵＳＣＨ伝送のために割り当てられた時間リソースでＳＲＳ伝送がスケジューリングされ、ＳＲＳ伝送がスケジューリングされた周波数リソースがＭＴＣ端末の動作（operating）帯域幅内にある場合、ＭＴＣ端末はＳＲＳを送信し、ＰＵＳＣＨデータはＳＲＳ伝送シンボルの分だけレートマッチング（rate matching）することができる。
【０１８２】
（３）一つのサブフレームでＰＵＣＣＨ及びＳＲＳ伝送
ＰＵＣＣＨ伝送のために設定された時間リソース（例えば、サブフレーム又はシンボル）でＳＲＳ伝送がスケジューリングされ、ＰＵＣＣＨ伝送のための周波数リソース（例えば、ＰＵＣＣＨのためのサブバンド）がＳＲＳ伝送のための周波数リソース（例えば、ＳＲＳのためのサブバンド）と異なれば、ＭＴＣ端末は、ＰＵＣＣＨとＳＲＳとを同じシンボルで送信することができない。ＭＴＣ端末は、ＳＲＳの伝送を行わない（例えば、ＰＵＣＣＨのみ送信）。
【０１８３】
（４）以前のサブフレームでＳＲＳ伝送及び次のサブフレームでＰＵＳＣＨ伝送
第１サブフレームの第１サブバンドでＳＲＳ伝送がスケジューリングされ、第１サブフレームの直後に位置する第２サブフレームの第２サブバンドでＰＵＳＣＨ伝送がスケジューリングされ、第１サブバンドと第２サブバンドとが互いに異なる場合（例えば、ＭＴＣ端末がサポートする動作帯域幅を超える場合）、ＭＴＣ端末はＲＦ周波数再同調のための時間を確保することができる。例えば、ＭＴＣ端末は、第２サブフレームの一部のシンボルをＲＦ周波数再同調のための時間に設定することができる。よって、ＰＵＳＣＨデータは確保された時間区間（例えば、シンボル数）に相当する量だけレートマッチング（rate matching）されて送信される。再同調に要求される時間が一つのサブフレームに相当する時間である場合、ＰＵＳＣＨは送信されないこともできる。
【０１８４】
他の方法として、ＭＴＣ端末は、第１サブフレームでＳＲＳの伝送を行わず、第２サブフレームでＰＵＳＣＨを送信することができる。例えば、ＳＲＳの伝送よりはＰＵＳＣＨ伝送の優先順位が高いように設定されることができる。
【０１８５】
（ｉ）周期的（periodic）ＳＲＳ伝送がサブフレーム＃ｎでスケジューリングされ、ＰＵＳＣＨ伝送がサブフレーム＃（ｎ＋１）でスケジューリングされる場合：ＭＴＣ端末はＰＵＳＣＨを優先して（に優先順位を置いて）（prioritize）周期的（periodic）ＳＲＳをドロップ（drop）することができる。
【０１８６】
（ii）非周期的（aperiodic）ＳＲＳ伝送がサブフレーム＃ｎでスケジューリングされ、ＨＡＲＱ−ＡＣＫ及び／又はＳＲ（Scheduling Request）を含むＰＵＳＣＨ伝送がサブフレーム＃（ｎ＋１）でスケジューリングされる場合：ＭＴＣ端末はＨＡＲＱ−ＡＣＫ及び／又はＳＲ（Scheduling Request）を含むＰＵＳＣＨを優先して非周期的（aperiodic）ＳＲＳをドロップすることができる。
【０１８７】
（iii ）非周期的ＳＲＳ伝送がサブフレーム＃ｎでスケジューリングされ、周期的（periodic）ＣＳＩ報告を含むＰＵＳＣＨ伝送がサブフレーム＃（ｎ＋１）でスケジューリングされる場合：ＭＴＣ端末は周期的ＣＳＩ報告を含むＰＵＳＣＨを優先して非周期的ＳＲＳをドロップすることができる。その反対の動作も可能である。
【０１８８】
（iv）非周期的ＳＲＳ伝送がサブフレーム＃ｎでスケジューリングされ、非周期的ＣＳＩ報告を含むＰＵＳＣＨ伝送がサブフレーム＃（ｎ＋１）でスケジューリングされる場合：ＭＴＣ端末は非周期的ＣＳＩ報告を含むＰＵＳＣＨを優先して非周期的ＳＲＳをドロップすることができる。その反対の動作も可能である。
【０１８９】
（ｖ）非周期的ＳＲＳ伝送がサブフレーム＃ｎでスケジューリングされ、ＳＰＳ（Semi Persistent Scheduling）ＰＵＳＣＨ伝送がサブフレーム＃（ｎ＋１）でスケジューリングされる場合：ＭＴＣ端末は非周期的ＳＲＳを優先してＳＰＳ ＰＵＳＣＨをドロップすることができる。その反対の動作も可能である。
【０１９０】
（vi）以前のサブフレームでＳＲＳ伝送のために設定された周波数リソースとＰＵＳＣＨ伝送のために割り当てられた周波数リソースとがＭＴＣ端末の動作（operating）帯域幅内にある場合（例えば、同じサブバンドに位置する場合）、ＭＴＣ端末はＲＦ周波数再同調のために時間を確保する必要がなくＰＵＳＣＨを送信することができる。
【０１９１】
さらに他の方法として、ＲＦ周波数再同調（re-tuning）のための時間区間がシンボルの長さより小さい場合、ＭＴＣ端末はＳＲＳシンボルを該当の時間区間の分だけ減らして送信することができる。
【０１９２】
以前のサブフレームでＰＵＳＣＨを送信した後、次のサブフレームでＳＲＳを送信する場合も同一方法が適用可能である。
【０１９３】
（５）ＰＵＳＣＨの連続伝送
以前のサブフレームでＰＵＳＣＨ伝送のために割り当てられたリソースで次のサブフレームのＰＵＳＣＨ伝送のために割り当てられたリソースがＭＴＣ端末の動作（operating）帯域を外れている場合（サブフレームにおいてＰＵＳＣＨ伝送のために割り当てられたリソースが、以前のサブフレームでＰＵＳＣＨ伝送のために割り当てられたリソースからＭＴＣ端末の動作帯域より大きく離れている場合）（When a resource allocated for PUSCH transmission in a subframe is separated by more than the operating bandwidth of the MTC UE from a resource allocated for PUSCH transmission in a previous subframe）（例えば、互いに異なるサブバンドに属する場合）、ＭＴＣ端末はＲＦ周波数再同調（re-tuning）のための時間を確保することができる。例えば、第１サブフレームの第１サブバンドでＰＵＳＣＨ伝送がスケジューリングされ、第１サブフレームの直後に位置する第２サブフレームの第２サブバンドでＰＵＳＣＨ伝送がスケジューリングされ、第１サブバンドと第２サブバンドとが互いに異なる場合（例えば、ＭＴＣ端末がサポートする動作帯域幅を超える場合）、ＭＴＣ端末はＲＦ周波数再同調のための時間を確保することができる。この際、ＰＵＳＣＨは、周波数ホッピングに基づいて繰り返し送信される同一のＰＵＳＣＨであることもでき、あるいは互いに異なるＰＵＳＣＨであることもできる。
【０１９４】
ＭＴＣ端末は、第１サブフレームの最後のｎ個のシンボル及び／又は第２サブフレームの最初のｎ個のシンボルをＲＦ周波数再同調のための時間に設定することができる。例えば、周波数ホッピングに基づいて繰り返し送信される同一のＰＵＳＣＨの場合、ＭＴＣ端末は第１サブフレームの最後の１個のシンボル及び第２サブフレームの最初の１個のシンボルをＲＦ周波数再同調のための時間として用いることができる。
【０１９５】
したがって、第１サブフレーム及び／又は第２サブフレームのＰＵＳＣＨデータは、確保された時間区間（例えば、シンボル数）に相当する量だけレートマッチング（rate matching）されて送信される。
【０１９６】
以前のサブフレームでＰＵＳＣＨ伝送のために割り当てられたリソースと次のサブフレームのＰＵＳＣＨ伝送のために割り当てられたリソースとがＭＴＣ端末の動作（operating）帯域幅内にある場合（例えば、同じサブバンドに属する場合）、ＭＴＣ端末はＲＦ周波数再同調のための時間を確保せずにＰＵＳＣＨを送信することができる。
【０１９７】
一方、基地局は、ＰＵＳＣＨを連続的にスケジューリングする場合、ＲＦ周波数再同調（re-tuning）のための時間が不要であるように同じリソース（例えば、同じサブバンド内のリソース）を割り当てるか、あるいはリソース間の周波数ドメイン上の距離がＭＴＣ端末がサポートする最大動作（operating）帯域幅を超えない（外れない）（not exceed）ようにリソースを割り当てることができる。
【０１９８】
（６）ＰＵＣＣＨ及びＰＵＳＣＨの連続伝送
（ｉ）以前のサブフレームでＰＵＣＣＨ伝送のために割り当てられたリソースで次のサブフレームのＰＵＳＣＨ伝送のために割り当てられたリソースがＭＴＣ端末の動作（operating）帯域幅を外れている場合（例えば、互いに異なるサブバンドに属する場合）、ＭＴＣ端末はＲＦ周波数再同調（re-tuning）のための時間を確保することができる。例えば、第１サブフレームの第１サブバンドでＰＵＣＣＨ伝送がスケジューリングされ、第１サブフレームの直後に位置する第２サブフレームの第２サブバンドでＰＵＳＣＨ伝送がスケジューリングされ、第１サブバンドと第２サブバンドとが互いに異なる場合、ＭＴＣ端末はＲＦ周波数再同調のための時間を確保することができる。例えば、ＭＴＣ端末は、第１サブフレームでＰＵＣＣＨを送信した後、第２サブフレームの最初の一部のシンボルを介してＲＦ周波数再同調（re-tuning）のための時間を確保する。よって、ＰＵＳＣＨデータは確保された時間区間（例えば、シンボル数）に相当する量だけレートマッチング（rate matching）されて送信される。
【０１９９】
（ii）以前のサブフレームでＰＵＳＣＨ伝送のために割り当てられたリソースで次のサブフレームのＰＵＣＣＨ伝送のために割り当てられたリソースがＭＴＣ端末の動作（operating）帯域幅を外れている場合（例えば、互いに異なるサブバンドに属する場合）、ＭＴＣ端末はＲＦ周波数再同調（re-tuning）のための時間を確保することができる。例えば、第１サブフレームの第１サブバンドでＰＵＳＣＨ伝送がスケジューリングされ、第１サブフレームの直後に位置する第２サブフレームの第２サブバンドでＰＵＣＣＨ伝送がスケジューリングされ、第１サブバンドと第２サブバンドとが互いに異なる場合、ＭＴＣ端末はＲＦ周波数再同調のための時間を確保することができる。例えば、ＭＴＣ端末は、第１サブフレームの最後の一部のシンボルを介してＲＦ周波数再同調（re-tuning）のための時間を確保する。よって、ＰＵＳＣＨデータは確保された時間区間（例えば、シンボル数）に相当する量だけレートマッチング（rate matching）されて送信される。その後、ＰＵＣＣＨ伝送が行われる。
【０２００】
例えば、ＰＵＣＣＨとＰＵＳＣＨとの連続伝送の場合、ＰＵＣＣＨを損失を伴わずに送信するために、ＭＴＣ端末は、ＰＵＳＣＨのサブフレームの最初又は最後の一部のシンボル間でＲＦ周波数再同調（re-tuning）のための時間を確保し、ＰＵＳＣＨデータは該当の時間区間に相当する量だけレートマッチング（rate matching）される。
【０２０１】
一実施例によると、レートマッチング（rate matching）されるシンボルの量は一つのサブフレームの全てのシンボルであることができるが、これに限定されない。
【０２０２】
ＰＵＣＣＨがＨＡＲＱ−ＡＣＫ又はＳＲを含む場合、ＭＴＣ端末はＰＵＣＣＨ伝送のためにＰＵＳＣＨ伝送をドロップするか、あるいは再同調のために必要な時間の分だけＰＵＳＣＨシンボルをパンクチャリング（puncturing）してレートマッチング（rate matching）を行うことができる。
【０２０３】
ＰＵＣＣＨが周期的（periodic）ＣＳＩ報告を含む場合、ＰＵＳＣＨ伝送が行われるサブフレーム＃ｎ、サブフレーム＃（ｎ−１）及び／又はサブフレーム＃（ｎ＋１）には周期的（periodic）ＣＳＩを含むＰＵＣＣＨが送信されないこともできる。この際、サブフレーム＃ｎで周期的（periodic）ＣＳＩ報告がＰＵＳＣＨにピギーバック（piggy-back）されて送信されることができる。
【０２０４】
（７）ＳＲＳ及びＰＵＣＣＨの連続伝送
以前のサブフレームでＳＲＳ伝送のために設定された周波数リソースで次のサブフレームのＰＵＣＣＨ伝送のために設定されたリソースがＭＴＣ端末の動作（operating）帯域幅を外れている場合（例えば、互いに異なるサブバンドに属する場合）、ＭＴＣ端末はＳＲＳの伝送を行わず、ＰＵＣＣＨを次のサブフレームで送信することができる。例えば、第１サブフレームの第１サブバンドでＳＲＳ伝送がスケジューリングされ、第１サブフレームの直後に位置する第２サブフレームの第２サブバンドでＰＵＣＣＨ伝送がスケジューリングされ、第１サブバンドと第２サブバンドとが互いに異なる場合、ＭＴＣ端末はＲＦ周波数再同調のための時間の確保のためにＳＲＳ伝送をドロップすることができる。
【０２０５】
（ｉ）周期的ＳＲＳ伝送がサブフレーム＃ｎでスケジューリングされ、ＰＵＣＣＨ ｆｏｒ ＨＡＲＱ−ＡＣＫ、ＳＲ、又は周期的（periodic）ＣＳＩ伝送がサブフレーム＃（ｎ＋１）でスケジューリングされる場合：ＨＡＲＱ−ＡＣＫ、ＳＲ、又は周期的（periodic）ＣＳＩを送信するＰＵＣＣＨを優先して周期的（periodic）ＳＲＳを送信しないこともできる。
【０２０６】
（ii）非周期的ＳＲＳ伝送がサブフレーム＃ｎでスケジューリングされ、ＨＡＲＱ−ＡＣＫ又はＳＲのためのＰＵＣＣＨ伝送がサブフレーム＃（ｎ＋１）でスケジューリングされる場合：ＨＡＲＱ−ＡＣＫ又はＳＲのためのＰＵＣＣＨを優先して非周期的ＳＲＳを送信しないこともできる。
【０２０７】
（iii ）以前のサブフレームでＳＲＳ伝送のために設定された周波数リソースで次のサブフレームのＰＵＣＣＨ伝送のために設定されたリソースがＭＴＣ端末の動作（operating）帯域幅を外れている場合、ＳＲＳの伝送を行い、ＰＵＣＣＨを送信しないこともできるが、これに限定されない。
【０２０８】
（iv）非周期的ＳＲＳ伝送がサブフレーム＃ｎでスケジューリングされ、周期的ＣＳＩ報告のためのＰＵＣＣＨ伝送がサブフレーム＃（ｎ＋１）でスケジューリングされる場合：非周期的ＳＲＳを優先して周期的ＣＳＩ報告のためのＰＵＣＣＨをドロップすることができるが、これに限定されない。
【０２０９】
以前のサブフレームでＰＵＣＣＨが送信され、次のサブフレームでＳＲＳが送信される場合にも上記と同様な方法が適用可能である。
【０２１０】
前述した（１）〜（７）の方法以外にさらに他の方法として、連続したサブフレーム上でＵＬデータ／信号が互いに異なるサブバンドで送信される場合、ＭＴＣ端末は時間領域で先に送信されるＵＬデータ／信号を優先することができる。具体的には、ＭＴＣ端末は、第１サブフレームで送信されるデータ／信号が周期的ＣＳＩ、周期的ＳＲＳを除いた他のＵＬデータ／信号であれば優先して送信するが、第２サブフレームのデータ／信号は送信しないこともできる。例えば、サブフレームｎ及びサブフレームｎ＋１での連続的なＵＬ伝送サブバンドが互いに異なり、（ｉ）サブフレームｎ＋１でＳＲＳ以外の伝送がある場合、あるいは（ii）サブフレームｎ＋１で周波数再同調の遅延を設定し、ＵＬ伝送を行うことができない場合、あるいは（iii ）サブフレームｎ−１でサブフレームｎ＋１に送信すべきチャネルについての情報を知っている場合、ＭＴＣ端末はサブフレームｎ及びサブフレームｎ＋１で送信されるチャネル間の優先順位に基づいてサブフレームｎ上のＵＬ伝送又はサブフレームｎ＋１上のＵＬ伝送を優先する。優先順位が高いＵＬ伝送が行われるサブ（サーフ）フレームではＲＦ再同調のための時間が設定されず、優先順位が低いＵＬ伝送が行われるサブフレームでのみＲＦ再同調のための時間が設定されることができる。ＵＬ伝送の優先順位が同じであれば、ＲＦ再同調時間が前後のサブフレームに均等に分けられて設定されることもできる。ＵＬ伝送の優先順位はＵＬ送信される物理チャネルのタイプ又は物理チャネルに含まれた情報によって決定されることができるが、これに限定されない。
【０２１１】
端末が優先順位を知らない場合は、サブフレームｎを優先することができる。
【０２１２】
ＭＴＣ端末は、前述した実施例で言及した方式の少なくとも一部によって優先順位を決定することもできる。
【０２１３】
例えば、ＰＲＡＣＨ伝送＞ＨＡＲＱ−ＡＣＫ又はＳＲ伝送（例えば、ＨＡＲＱ−ＡＣＫ又はＳＲのためのＰＵＣＣＨ伝送）＞非周期的ＣＳＩ報告（例えば、非周期的ＣＳＩ報告のためのＰＵＳＣＨ伝送）＞非周期的ＳＲＳ伝送＞ＵＬデータ伝送（例えば、ＵＬデータのためのＰＵＳＣＨ伝送）＞周期的ＣＳＩ報告伝送（例えば、ＰＵＣＣＨ）＞周期的ＳＲＳ伝送の順に優先順位が設定されることができる。
【０２１４】
一方、ＨＡＲＱ−ＡＣＫ伝送とＳＲ伝送とが連続する二つのサブフレームでスケジューリングされた場合（例えば、衝突する場合）、ＭＴＣ端末はＳＲを優先することもできる。
【０２１５】
このような優先順位に対するネットワーク（例えば、基地局）と端末との間の一貫性（consistency）のために、前もって（例えば、サブフレームｎ−１で）ネットワーク又は端末がどんな伝送を行うかが分かる場合は次のようであり得る。（ｉ）ＭＴＣ端末がサブフレームｎ−３あるいはそれ以前に上りリンク承認（例えば、ＤＣＩ）、非周期的ＣＳＩ要求又は非周期的ＳＲＳ要求を受信する場合、（ii）サブフレームｎ＋１で送信されるＵＬデータ／信号が周期的に設定されたＳＰＳ ＰＵＳＣＨ、周期的ＣＳＩ又は周期的ＳＲＳである場合、（iii ）ＭＴＣ端末がサブフレームｎ−５あるいはそれ以前にＰＤＣＣＨ ｏｒｄｅｒ（例えば、基地局が端末にＰＲＡＣＨ送信することを指示するＰＤＣＣＨ）を受信するかあるいはＵＥ−ｉｎｉｔｉａｔｅｄ ＰＲＡＣＨによってサブフレームｎ−１でＰＲＡＣＨ伝送が予約された場合、（iv）その他の場合があり得る。例えば、端末処理（プロセッシング）（processing）時間に基づいてサブフレームｎ＋１で送信されるＵＬデータ／信号が知られる場合を含むことができる。
【０２１６】
図１２は、本発明の一実施例によるＭＴＣ端末がＵＬ信号を送信する方法を例示する。前述した説明と重複する説明は省略する。
【０２１７】
図１２を参照すると、ＭＴＣ端末はＲＲＣ設定（Radio Resource Control Configuration）を受信する（Ｓ１１０５）。ＲＲＣ設定は、ＰＵＳＣＨ（Physical Uplink Shared CHannel）が送信されるサブバンドについての情報を含むことができる。例えば、ＰＵＳＣＨが送信されるサブバンドはＲＲＣ設定に基づいて周波数ホッピングされることができる。
【０２１８】
ＭＴＣ端末は、第１サブフレームで第１サブバンドを介して第１上りリンク信号を送信する（Ｓ１１１０）。
【０２１９】
ＭＴＣ端末は、周波数を第１サブバンドから第２サブバンドに再同調（re-tuning）する（Ｓ１１１５）。
【０２２０】
ＭＴＣ端末は、第２サブフレームで第２サブバンドを介して第２上りリンク信号を送信する（Ｓ１１２０）。
【０２２１】
第１サブフレームと第２サブフレームとが互いに連続する場合、ＭＴＣ端末は、第１サブフレームの最後のＮ個のシンボル及び第２サブフレームの最初のＮ個のシンボルの少なくとも一部のシンボルで、第１上りリンク信号又は第２上りリンク信号を送信する代わりに周波数再同調を行うことができる。
【０２２２】
例えば、第１サブフレームの最後のＮ個のシンボルから第２サブフレームの最初のＮ個のシンボルの範囲内で周波数再同調に使われる少なくとも一部のシンボルの位置は、第１上りリンク信号と第２上りリンク信号との間に前もって設定された優先順位によって決定されることができる。
【０２２３】
また、第１上りリンク信号が第２上りリンク信号より優先する場合、周波数再同調は第２サブフレームの最初のＮ個のシンボルで行われ、第２上りリンク信号が第１上りリンク信号より優先する場合、周波数再同調は第１サブフレームの最後のＮ個のシンボルで行われることができる。
【０２２４】
また、第１上りリンク信号と第２上りリンク信号とが同一の優先順位を有する場合、周波数再同調が行われる少なくとも一部のシンボルは、第１サブフレームと第２サブフレームとに均等に分けられて設定されることができる。
【０２２５】
第１上りリンク信号がＳＲＳ（Sounding Reference Signal）を含み、第２上りリンク信号がＰＵＣＣＨ（Physical Uplink Control CHannel）又はＰＵＳＣＨ（Physical Uplink Shared CHannel）を含む場合、周波数再同調が行われる少なくとも一部のシンボルは、第１サブフレームの最後のシンボルを含み、ＳＲＳの伝送はドロップ（drop）されることができる。
【０２２６】
第１上りリンク信号がＰＵＣＣＨ（Physical Uplink Control CHannel）であり、第２上りリンク信号がＰＵＳＣＨ（Physical Uplink Shared CHannel）である場合、周波数再同調が行われる少なくとも一部のシンボルは、第２サブフレームの最初のＮ個のシンボル上に設定されることができる。第１上りリンク信号がＰＵＳＣＨであり、第２上りリンク信号がＰＵＣＣＨである場合、周波数再同調が行われる少なくとも一部のシンボルは、第１サブフレームの最後のＮ個のシンボル上に設定されることができる。
【０２２７】
ＳＲＳ（Sounding Reference Signal）がＰＵＣＣＨ（Physical Uplink Control CHannel）又はＰＵＳＣＨ（Physical Uplink Shared CHannel）と同一のサブフレーム上に設定され、ＳＲＳのサブバンドがＰＵＣＣＨ又はＰＵＳＣＨのサブバンドと異なれば、ＳＲＳの伝送はドロップされることができる。
【０２２８】
前もって設定された優先順位によると、ＰＵＣＣＨ（Physical Uplink Control CHannel）はＰＵＳＣＨ（Physical Uplink Shared CHannel）より優先し、ＰＵＳＣＨはＳＲＳ（Sounding Reference Signal）より優先することができる。
【０２２９】
第１上りリンク信号がＰＲＡＣＨ（Physical Random Access CHannel）を含む場合、周波数再同調は第２サブフレームの最初のＮ個のシンボルで行われることができる。第２上りリンク信号がＰＲＡＣＨを含む場合、周波数再同調は第１サブフレームの最後のＮ個のシンボルで行われることができる。
【０２３０】
図１３は、本発明の実施例に適用可能な基地局及び端末を例示する。図１４に示した基地局及び端末は前述した実施例による動作を行うことができる。
【０２３１】
図１３を参照すると、無線通信システムは、基地局（ＢＳ）１１０及び端末（ＵＥ）１２０を含む。下りリンクにおいて、送信器は基地局１１０の一部であり、受信器は端末１２０の一部である。上りリンクにおいて、送信器は端末１２０の一部であり、受信器は基地局１１０の一部である。基地局１１０は、プロセッサ１１２、メモリ１１４及び無線周波数（ＲＦ）ユニット１１６を含む。プロセッサ１１２は、本発明で提案した手順及び／又は方法を具現するように構成されることができる。メモリ１１４はプロセッサ１１２に接続（連結）され（connected）、プロセッサ１１２の動作に関連した多様な情報を記憶する。ＲＦユニット１１６はプロセッサ１１２に接続されて無線信号を送信及び／又は受信する。端末１２０は、プロセッサ１２２、メモリ１２４及びＲＦユニット１２６を含む。プロセッサ１２２は、本発明で提案した手順及び／又は方法を具現するように構成されることができる。メモリ１２４はプロセッサ１２２に接続され、プロセッサ１２２の動作に関連した多様な情報を記憶する。ＲＦユニット１２６は、プロセッサ１２２に接続されて無線信号を送信及び／又は受信する。基地局１１０及び／又は端末１２０は単一のアンテナ又は複数の（多重）（multiple）アンテナを有することができる。
【０２３２】
以上で説明された実施例は、本発明の構成要素及び特徴が所定の形態で結合され（組み合わせられ）たもの（combinations）である。各構成要素又は特徴は、別の明示的な言及がない限り、選択的なものとして考慮しなければならない。各構成要素又は特徴は、他の構成要素や特徴と結合されていない形態で実施されてもよい。また、一部の構成要素及び／又は特徴を結合して本発明の実施例を構成することもできる。本発明の実施例で説明される動作の順序は変更されてもよい。ある実施例の一部の構成や特徴は、他の実施例に含まれてもよく、又は、他の実施例の対応する構成又は特徴に代えられ（置換され）（substituted）てもよい。特許請求の範囲において明示的な引用関係にない請求項を結合して実施例を構成したり、出願後の補正によって新たな請求項として含めることができるということは明らかである。
【０２３３】
本発明の実施例は主に端末と基地局との間のデータ送受信関係を中心にして説明された。この文書において、基地局（ＢＳ）によって行われると説明された特定の動作は、場合によってはその上位ノード（upper node）によって行われることができる。すなわち、基地局を含む複数のネットワークノードで端末との通信のために行われる様々な動作は、基地局又は基地局以外の他のネットワークノードによって行うことができることは明らかである。「基地局」は、固定局（fixed station）、Ｎｏｄｅ Ｂ、ｅＮｏｄｅ Ｂ（ｅＮＢ）、アクセスポイント（Access Point）などの用語に代替されることができる。また、「端末」はＵＥ（User Equipment）、ＭＳ（Mobile Station）、ＭＳＳ（Mobile Subscriber Station）などの用語に代替されることができる。
【０２３４】
本発明による実施例は、多様な手段、例えばハードウェア、ファームウェア（firmware）、ソフトウェア又はこれらの組合せなどによって具現されることができる。ハードウェアによる具現の場合、本発明の一実施例は、１つ又は複数のＡＳＩＣｓ（Application Specific Integrated Circuits）、ＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）、プロセッサ、コントローラ、マイクロコントローラ、マイクロプロセッサなどによって具現されることができる。
【０２３５】
ファームウェアやソフトウェアによる具現の場合、本発明の一実施例は、以上で説明された機能又は動作を行うモジュール、手順、関数などの形態に具現されてもよい。ソフトウェアコードは、メモリユニットに格納され、プロセッサによって駆動され得る。上記メモリユニットは、上記プロセッサの内部又は外部に位置して、公知の様々な手段によって上記プロセッサとデータを交換することができる。
【０２３６】
本発明は、本発明の特徴を逸脱しない範囲内で他の特定の形態に具体化できるということは、当業者にとって自明である。したがって、上記の詳細な説明は、全ての面で制限的に解釈してはならず、例示的なものとして考慮しなければならない。本発明の範囲は、添付の請求項の合理的解釈によって決定されなければならず、本発明の等価的範囲内での全ての変更は本発明の範囲に含まれる。
【産業上の利用可能性】
【０２３７】
前述したように、本発明の実施例は、３ＧＰＰに基づく無線通信システムを含めた多様な無線通信システムに適用可能である。
【図１】
0006276425.tif 000065
【図２】
0006276425.tif 000066
【図３】
0006276425.tif 000067
【図４】
0006276425.tif 000068
【図５】
0006276425.tif 000069
【図６】
0006276425.tif 000070
【図７】
0006276425.tif 000071
【図８】
0006276425.tif 000072
【図９】
0006276425.tif 000073
【図１０】
0006276425.tif 000074
【図１１】
0006276425.tif 000075
【図１２】
0006276425.tif 000076
【図１３】
0006276425.tif 000077